(57)【要約】【課題】デジタルテレビ受信機が本来備えている解像度の高さや画面のサイズを活かした映像を視聴者に提供する。【解決手段】受信装置は、受信信号の復調を行う復調部と、ＭＭＴパッケージテーブルのアセットグループ記述子により階層変調の有無を識別して、階層別のアセットを取得する処理部と、を備え、処理部は、ＭＭＴパッケージテーブルのアセットグループ記述子に基づいて伝送される階層を判定し、階層の切替時に、アプリケーションの情報を格納するテーブルを取得し、当該テーブルに含まれる情報に基づいてサービスを行う。【選択図】図１１
2018182762.tif 000002
【特許請求の範囲】
【請求項１】
受信信号の復調を行う復調部と、
ＭＭＴパッケージテーブルのアセットグループ記述子により階層変調の有無を識別して、階層別のアセットを取得する処理部と、
を備え、    
前記処理部は、
前記ＭＭＴパッケージテーブルのアセットグループ記述子に基づいて伝送される階層を判定し、
前記階層の切替時に、アプリケーションの情報を格納するテーブルを取得し、当該テーブルに含まれる情報に基づいてサービスを行う
受信装置。
【請求項２】
前記処理部は、前記階層の切替時に、前記テーブルに基づいてアプリケーションを起動する
請求項１に記載の受信装置。
【請求項３】
前記処理部は、前記階層の切替時に、ＡＵＴＯＳＴＡＲＴが指定されたアプリケーションを起動する
請求項１又は２に記載の受信装置。
【請求項４】
前記処理部は、前記受信信号の高階層の誤り率を基に前記階層を決定する
請求項１から３のいずれか一項に記載の受信装置。
【請求項５】
受信信号の復調を行う復調部と、
ＭＭＴパッケージテーブルのアセットグループ記述子により階層変調の有無を識別して、階層別のアセットを取得する処理部と、
を備え、
前記処理部は、
前記ＭＭＴパッケージテーブルのアセットグループ記述子に基づいて伝送される階層を判定し、
前記階層の切替時に、アプリケーションの情報を格納するテーブルを取得し、当該テーブルに含まれる情報に基づいてサービスを行う
テレビジョン装置。
【請求項６】
受信装置のコンピュータに、
受信信号の復調を行う復調手順、
ＭＭＴパッケージテーブルのアセットグループ記述子により階層変調の有無を識別して、階層別のアセットを取得する処理手順、
を実行させ、
前記処理手順において、
前記ＭＭＴパッケージテーブルのアセットグループ記述子に基づいて伝送される階層を判定し、
前記階層の切替時に、アプリケーションの情報を格納するテーブルを取得し、当該テーブルに含まれる情報に基づいてサービスを行う
プログラム。
【請求項７】
請求項６に記載のプログラムを記録したコンピュータに読み取り可能な記憶媒体。
【請求項８】
受信装置における受信処理方法であって、
受信信号の復調を行う復調過程、
ＭＭＴパッケージテーブルのアセットグループ記述子により階層変調の有無を識別して、階層別のアセットを取得する処理過程、
を実行させ、
前記処理過程において、
前記ＭＭＴパッケージテーブルのアセットグループ記述子に基づいて伝送される階層を判定し、
前記階層の切替時に、アプリケーションの情報を格納するテーブルを取得し、当該テーブルに含まれる情報に基づいてサービスを行う
受信方法。
【発明の詳細な説明】
【技術分野】
【０００１】
本発明は、受信装置、テレビジョン装置、記憶媒体、受信方法、及びプログラムに関する。
【背景技術】
【０００２】
次世代テレビジョン放送サービス、例えば、４Ｋ／８Ｋ  ＵＨＤＴＶ（Ｕｌｔｒａ  Ｈｉｇｈ  Ｄｅｆｉｎｉｔｉｏｎ  Ｔｅｌｅｖｉｓｉｏｎ；超高解像度テレビジョン放送。
以下、４Ｋ／８Ｋと称する。）によるテレビ番組の放送開始が予定されている。テレビジョン放送サービスの中でも、とくに衛星放送システムを使用した放送は、降雨によって放送波に減衰が生じること（降雨減衰）などが原因となって、テレビ番組の正常な受信が妨げられることがある、という欠点がある。
そこでテレビジョン放送局が、降雨減衰対策として、４Ｋ／８Ｋ映像と併せて、従来の映像（４Ｋ／８Ｋ映像より解像度が低く、降雨減衰に対する耐性が強い映像）を同時に送信することができる仕組みを導入することが考えられる。それにより、降雨減衰時でも従来の映像に切り替えることによって、視聴者にテレビ番組の視聴を継続させることができる。
非特許文献１、非特許文献２では、衛星デジタル放送において、降雨時の遮断に対して、階層伝送方式を切り替えることによって、サービスを継続させることを標準規格としている。非特許文献３には、ＭＭＴによるメディアトランスポート方式の標準規格が記載されている。
【先行技術文献】
【非特許文献】
【０００３】
【非特許文献１】一般社団法人  電波産業会、“ＡＲＩＢ  ＳＴＤ−Ｂ２１  ５．５版  デジタル放送用受信装置  標準規格（望ましい仕様）”、一般社団法人  電波産業会
【非特許文献２】一般社団法人  電波産業会、“ＡＲＩＢ  ＴＲ−Ｂ１５  ６．５版（第三分冊）  ＢＳ／広帯域ＣＳデジタル放送運用規定”、一般社団法人  電波産業会
【非特許文献３】一般社団法人  電波産業会、”ＡＲＩＢ  ＳＴＤ−Ｂ６０  １．０版  デジタル放送におけるＭＭＴによるメディアトランスポート方式  標準規格”、一般社団法人  電波産業会
【発明の概要】
【発明が解決しようとする課題】
【０００４】
同一チャンネル内で２つの階層サービスが存在するデジタル放送のテレビ受信機において、天候等の悪化により表示する映像の変調方式が高階層から低階層に切り替えられた際に、表示領域を縮小して映像を通常モードに比して鮮明に見えるようにした場合、画面上には無駄な余白のスペースが発生することになる。すなわち、従来技術では、デジタルテレビ受信機が本来備えている解像度の高さや、画面のサイズを、十分に活かし切れないという課題がある。
【０００５】
本発明は上記の点に鑑みてなされたものであり、本発明の受信装置は、解像度が高い映像から低い映像へと表示させる放送映像を切り替える場合、解像度が低い放送映像とそれ以外の様々な映像とを組み合わせた映像を生成する。すなわち、解像度が低い放送映像を表示することによって発生する画面上の余白のスペースに、その放送映像以外の映像を表示させる。それによって、降雨減衰時においても、画質の鮮明さは保ちつつ、かつ、画面全体に映像を表示させるように表示領域を有効活用し、デジタルテレビ受信機が本来備えている解像度の高さや画面のサイズを活かした映像を視聴者に提供することができる受信装置、テレビジョン装置、記憶媒体、受信方法、及びプログラムを提供する。
【課題を解決するための手段】
【０００６】
（１）本発明は上記の課題を解決するためになされたものであり、本発明の一態様は、受信信号の復調を行う復調部と、ＭＭＴパッケージテーブルのアセットグループ記述子により階層変調の有無を識別して、階層別のアセットを取得する処理部と、を備え、前記処理部は、前記ＭＭＴパッケージテーブルのアセットグループ記述子に基づいて伝送される階層を判定し、前記階層の切替時に、アプリケーションの情報を格納するテーブルを取得し、当該テーブルに含まれる情報に基づいてサービスを行う受信装置である。
【０００７】
（２）また、本発明の一態様は、（１）に記載の受信装置であって、前記処理部は、前記階層の切替時に、前記テーブルに基づいてアプリケーションを起動する。
【０００８】
（３）また、本発明の一態様は、（１）または（２）に記載の受信装置であって、前記処理部は、前記階層の切替時に、ＡＵＴＯＳＴＡＲＴが指定されたアプリケーションを起動する。
【０００９】
（４）また、本発明の一態様は、（１）から（３）のいずれかに記載の受信装置であって、前記処理部は、前記受信信号の高階層の誤り率を基に前記階層を決定する。
【００１０】
（５）また、本発明の一態様は、受信信号の復調を行う復調部と、ＭＭＴパッケージテーブルのアセットグループ記述子により階層変調の有無を識別して、階層別のアセットを取得する処理部と、を備え、前記処理部は、前記ＭＭＴパッケージテーブルのアセットグループ記述子に基づいて伝送される階層を判定し、前記階層の切替時に、アプリケーションの情報を格納するテーブルを取得し、当該テーブルに含まれる情報に基づいてサービスを行うテレビジョン装置である。
【００１１】
（６）また、本発明の一態様は、受信装置のコンピュータに、受信信号の復調を行う復調手順、ＭＭＴパッケージテーブルのアセットグループ記述子により階層変調の有無を識別して、階層別のアセットを取得する処理手順、を実行させ、前記処理手順において、前記ＭＭＴパッケージテーブルのアセットグループ記述子に基づいて伝送される階層を判定し、前記階層の切替時に、アプリケーションの情報を格納するテーブルを取得し、当該テーブルに含まれる情報に基づいてサービスを行うプログラムである。
【００１２】
（７）また、本発明の一態様は、（６）に記載のプログラムを記録したコンピュータに読み取り可能な記憶媒体である。
【００１３】
（８）また、本発明の一態様は、受信装置における受信処理方法であって、受信信号の復調を行う復調過程、ＭＭＴパッケージテーブルのアセットグループ記述子により階層変調の有無を識別して、階層別のアセットを取得する処理過程、を実行させ、前記処理過程において、前記ＭＭＴパッケージテーブルのアセットグループ記述子に基づいて伝送される階層を判定し、前記階層の切替時に、アプリケーションの情報を格納するテーブルを取得し、当該テーブルに含まれる情報に基づいてサービスを行う受信方法である。
【発明の効果】
【００１４】
本発明によれば、デジタルテレビ受信機が本来備えている解像度の高さや画面のサイズを活かした映像を視聴者に提供することができる。
【図面の簡単な説明】
【００１５】
【図１】本実施形態に係る放送システムの一例を示す概略図である。
【図２】本実施形態に係る送信装置の構成を示すブロック図である。
【図３】本実施形態に係る受信装置が受信する構成情報に含まれるＭＰＴのデータ構造の一例を示す図である。
【図４】本実施形態に係る受信装置が受信する構成情報に含まれるアセットグループ記述子（Ａｓｓｅｔ＿Ｇｒｏｕｐ＿Ｄｅｓｃｒｉｐｔｏｒ（））のデータ構造の一例を示す図である。
【図５】本実施形態に係る受信装置が受信する構成情報に含まれる映像コンポーネント記述子（Ｖｉｄｅｏ＿Ｃｏｍｐｏｎｅｎｔ＿Ｄｅｓｃｒｉｐｔｏｒ（））のデータ構造の一例を示す図である。
【図６】本実施形態に係る受信装置が受信する構成情報に含まれる映像信号解像度（ｖｉｄｅｏ＿ｒｅｓｏｌｕｔｉｏｎ）の値の一例を示す図である。
【図７】本実施形態に係る受信装置が受信する構成情報に含まれる映像信号アスペクト比（ｖｉｄｅｏ＿ａｓｐｅｃｔ＿ｒａｔｉｏ）の値の一例を示す図である。
【図８】本実施形態に係る受信装置が受信する構成情報に含まれる映像信号フレームレート（ｖｉｄｅｏ＿ｆｒａｍｅ＿ｒａｔｅ）の値の一例を示す図である。
【図９】本実施形態に係る受信装置が受信する構成情報に含まれるロケーション情報（ＭＭＴ＿ｇｅｎｅｒａｌ＿ｌｏｃａｔｉｏｎ＿ｉｎｆｏ（））のデータ構造の一例を示す図である。
【図１０】本実施形態に係るサーバー装置の構成を示すブロック図である。
【図１１】本実施形態に係る受信装置の構成を示すブロック図である。
【図１２】本実施形態に係る制御部の構成を示すブロック図である。
【図１３】本実施形態に係る、放送番組の映像に通信コンテンツに基づく映像（ＧＵＩ画面）を重畳させた映像の一例を示す概略図である。
【図１４】本発明の第１の実施形態に係る受信装置の動作を示すフローチャートである。
【図１５】本発明の第２の実施形態に係る受信装置の動作を示すフローチャートである。
【図１６】本実施形態に係る受信装置が受信する構成情報に含まれるＭＨ−ＡＩＴのデータ構造の一例を示す図である。
【図１７】本実施形態に係る受信装置が受信する構成情報に含まれるアプリケーション形式（ａｐｐｌｉｃａｔｉｏｎ＿ｔｙｐｅ）の値の一例を示す図である。
【図１８】本実施形態に係る受信装置が受信する構成情報に含まれるアプリケーション制御コード（ａｐｐｌｉｃａｔｉｏｎ＿ｃｏｎｔｒｏｌ＿ｃｏｄｅ）の値の一例を示す図である。
【図１９】本発明の第３の実施形態に係る受信装置の動作を示すフローチャートである。
【発明を実施するための形態】
【００１６】
（第１の実施形態）
本発明の第１の実施形態について、図面を参照しながら説明する。
図１は、本実施形態に係る放送システムの一例を示す概略図である。
第１の実施形態の放送システム１は、送信装置１１と、サーバー装置２１と、受信装置３１とを含んで構成される。送信装置１１及びサーバー装置２１は、放送事業者が有する放送設備を構成する。受信装置３１は、送信装置１１から放送される放送番組を受信し、受信した放送番組の映像を表示し、当該放送番組の音声を再生する。また、受信装置３１は、サーバー装置２１と通信接続しデータを送受信する。受信装置３１は、各家庭や事業所等に設置される。
【００１７】
送信装置１１は、放送伝送路１２を介して放送番組のデータ（番組データ）を逐次、受信装置３１に送信する。送信装置１１は、例えば、放送事業者等が放送波を送信するための電波塔等を含む、電波送信基地局である。
放送伝送路１２は、送信装置１１が送信する各種のデータを、同時に不特定多数の受信装置３１に対して、一方向的に伝送する伝送路である。放送伝送路１２は、例えば、放送衛星１３で中継される所定の周波数帯域の電波（放送波）である。放送伝送路１２は地上波の放送伝送路を含むことができる。放送伝送路１２の一部には、通信回線、例えば、送信装置１１から電波を送信するための送信設備までの通信回線が含まれてもよい。なお、放送伝送路１２を介して各種のデータを送信（または、受信）することを、「放送で送信（または、受信もしくはダウンロード）する」と呼ぶことがある。
【００１８】
サーバー装置２１は、放送事業者あるいはコンテンツサービスプロバイダー、インターネットコンテンツ制作業者等によって作成された通信コンテンツを蓄積するサーバー装置である。サーバー装置２１は、例えば、ｉＤＣ（Ｉｎｔｅｒｎｅｔ  Ｄａｔａ  Ｃｅｎｔｅｒ；インターネットデータセンター）等の、ＷＷＷ（Ｗｏｒｌｄ  Ｗｉｄｅ  Ｗｅｂ）サーバー収容施設に設置されたサーバー装置である。サーバー装置２１の所在は、例えば、ＵＲＬ（Ｕｎｉｆｏｒｍ  Ｒｅｓｏｕｒｃｅ  Ｌｏｃａｔｏｒ；統一資源位置指定子）で放送伝送路１２を介して受信装置３１に通知される。サーバー装置２１は、受信装置３１から通信コンテンツ要求信号を受信したときに、要求された通信コンテンツを受信装置３１に送信する。
【００１９】
通信伝送路２２は、サーバー装置２１と受信装置３１との間で、各種のデータを双方向的に伝送する伝送路である。通信伝送路２２は、例えば、有線の大容量の基幹網を有するインターネット等の広域通信網を含む。通信伝送路２２は、一部に無線のアクセス網を含む通信網、例えば、公衆無線通信網であってもよい。なお、通信伝送路２２を介して各種のデータを送信することを、「通信で送信（受信もしくはダウンロード）する」と呼ぶことがある。
【００２０】
受信装置３１は、送信装置１１から放送伝送路１２を介して受信したデータを復号するＣＡＳプログラムを起動し、起動したＣＡＳプログラムを実行することにより、受信したデータを復号する。
受信装置３１は、送信装置１１から放送コンテンツを、またサーバー装置２１から通信コンテンツを受信する。受信装置３１は、有線のＬＡＮケーブルや、Ｗｉ−Ｆｉルーター（Ｗｉｒｅｌｅｓｓ  Ｆｉｄｅｌｉｔｙルーター；無線ＬＡＮ親機）との無線ＬＡＮ接続を介して、通信伝送路２２に接続するための機能が備えられている。受信装置３１は、例えば、テレビジョン受信装置、映像記録装置、等である。
【００２１】
（送信装置の構成）
次に、本実施形態に係る送信装置１１の構成について説明する。
図２は、本実施形態に係る送信装置の構成を示すブロック図である。送信装置１１は、番組データ生成部１１１、構成情報生成部１１２、多重化部１１３、暗号化部１１４及び送信部１１５を含んで構成される。
【００２２】
番組データ生成部１１１は、放送番組を構成する映像を示す映像データと、放送番組を構成する音声を示す音声データを取得する。
番組データ生成部１１１は、所定の映像符号化方式で符号化された映像データを取得する。所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。
また、番組データ生成部１１１は、所定の音声符号化方式で符号化された音声データを取得する。所定の音声符号化方式は、例えば、ＩＳＯ／ＩＥＣ  １４４９６  Ｐａｒｔ３（単に、ＭＰＥＧ−４オーディオとも呼ばれる。なお、ＭＰＥＧはＭｏｖｉｎｇ  Ｐｉｃｔｕｒｅ  Ｅｘｐｅｒｔｓ  Ｇｒｏｕｐを略したものである。）で規定された音声符号化方式である。
【００２３】
番組データ生成部１１１は、取得した映像データと音声データから所定の形式の番組データを生成し、生成した番組データを多重化部１１３に出力する。所定の形式の番組データは、例えば、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  
Ｐｒｏｃｅｓｓｉｎｇ  Ｕｎｉｔ）である。各ＭＰＵには、映像や音声の復号処理を行うことができる単位の映像データ又は音声データが含まれる。
【００２４】
構成情報生成部１１２は、放送番組や放送に伴って提供されるサービスを構成するための情報である構成要素情報を取得する。構成要素情報は、放送番組やサービスの構成要素であるアセット、つまり、映像、音声等のリストや、それらの諸要件を示す情報を含む。
なお、例えば、降雨による放送波の減衰の対策として、階層伝送方式による降雨対応放送がある。これは、主放送と同一の番組をより解像度や音質を落とした副放送（降雨対応放送）を、主放送と同時に階層伝送方式により送信するものである。
例えば、上記の構成要素情報には、階層伝送方式による放送をする場合等など、複数の放送映像を同時に送信する場合においては、各映像の解像度に関する情報や、各映像が表示される優先度に関する情報等も構成要素情報に含まれる。
【００２５】
構成情報生成部１１２は、取得した構成要素情報から所定の形式の構成情報を生成し、生成した構成情報を多重化部１１３に出力する。所定の形式の構成情報は、例えば、ＭＭＴ−ＳＩ（ＭＭＴ−Ｓｙｓｔｅｍ  Ｉｎｆｏｒｍａｔｉｏｎ）を構成するＭＰＴ（ＭＭＴ
Ｐａｃｋａｇｅ  Ｔａｂｌｅ）である。ＭＰＴの例については後述する。
【００２６】
多重化部１１３は、番組データ生成部１１１から入力された番組データ、及び構成情報生成部１１２から入力された構成情報を多重化して、所定の形式（例えば、ＴＬＶ（Ｔｙｐｅ  Ｌｅｎｇｔｈ  Ｖａｌｕｅ）パケット）の多重化データを生成する。多重化部１１３は、生成した多重化データを暗号化部１１４に出力する。
【００２７】
暗号化部１１４は、多重化部１１３から入力された多重化データを所定の暗号化方式（例えば、ＡＥＳ（Ａｄｖａｎｃｅｄ  Ｅｎｃｒｙｐｔｉｏｎ  Ｓｔａｎｄａｒｄ）やＭＵＬＴＩ２）を用いて暗号化する。暗号化部１１４は、暗号化した多重化データを送信部１１５に出力する。
【００２８】
送信部１１５は、暗号化部１１４から入力された多重化データを受信装置３１に放送伝送路１２を介して送信する。ここで、送信部１１５は、ベースバンド信号である多重化データで所定の搬送周波数を有する搬送波を変調させて、搬送周波数に対応したチャネル帯域の電波（放送波）をアンテナ（図示せず）により放射する。
【００２９】
（ＭＰＴのデータ構造）
次に、構成情報に含まれるＭＰＴの例について説明する。なお、ＭＰＴはＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人電波産業会）が、非特許文献３において規定している標準規格である。
図３は、本発明の受信装置が受信するＭＰＴのデータ構造の一例を示す図である。図３に示す例では、ＭＰＴは、アセット毎にアセットタイプ（ａｓｓｅｔ＿ｔｙｐｅ）、アセット記述子領域（ａｓｓｅｔ＿ｄｅｓｃｒｉｐｔｏｒｓ＿ｂｙｔｅ）とを含む。
【００３０】
アセットタイプ（ａｓｓｅｔ＿ｔｙｐｅ）には、アセットの種類を示す符号が記述される。構成情報生成部１１２は、アセットタイプ（ａｓｓｅｔ＿ｔｙｐｅ）として、例えば、ＨＥＶＣで符号化された映像データを示すｈｃｖ１と、ＭＰＥＧ−４オーディオで符号化された音声データを示すｍｐ４ａを記述する。
アセット記述子領域（ａｓｓｅｔ＿ｄｅｓｃｒｉｐｔｏｒｓ＿ｂｙｔｅ）は、アセットの記述子が記述される領域である。
【００３１】
なお、図３の「データ表記」の欄にあるｕｉｍｓｂｆとは、ｕｎｓｉｇｎｅｄ  ｉｎｔｅｇｅｒ  ｍｏｓｔ  ｓｉｇｎｉｆｉｃａｎｔ  ｂｉｔ  ｆｉｒｓｔの略であり、最上位ビットが先頭である符号無し整数を意味する。また、ｂｓｌｂｆとは、ｂｉｔ  ｓｔｒｉｎｇ  ｌｅｆｔ  ｂｉｔ  ｆｉｒｓｔの略であり、左ビットが先頭であるビット列を意味する。また、ｃｈａｒとは、ｃｈａｒａｃｔｅｒの略であり、主に文字コードを格納するために使用される固定長のデータ型を意味する。
【００３２】
階層伝送方式による放送が提供される場合などにおいては、構成情報生成部１１２（図２）は、階層伝送方式毎にアセットグループ記述子（Ａｓｓｅｔ＿Ｇｒｏｕｐ＿Ｄｅｓｃｒｉｐｔｏｒ（））、及び映像コンポーネント記述子（Ｖｉｄｅｏ＿Ｃｏｍｐｏｎｅｎｔ＿Ｄｅｓｃｒｉｐｔｏｒ（））を生成する。
【００３３】
アセットグループ記述子（Ａｓｓｅｔ＿Ｇｒｏｕｐ＿Ｄｅｓｃｒｉｐｔｏｒ（））は、アセットのグループ関係とグループ内での優先度に関するパラメーターが記述される記述子である。例えば、階層伝送方式を用いた放送において、構成情報生成部１１２は、アセットグループ記述子（Ａｓｓｅｔ＿Ｇｒｏｕｐ＿Ｄｅｓｃｒｉｐｔｏｒ（））を生成し、生成したアセットグループ記述子（Ａｓｓｅｔ＿Ｇｒｏｕｐ＿Ｄｅｓｃｒｉｐｔｏｒ（））をアセット記述子領域（ａｓｓｅｔ＿ｄｅｓｃｒｉｐｔｏｒｓ＿ｂｙｔｅ）に含める。
階層伝送方式を用いた放送を行わない場合など、アセットのグループ関係とグループ内での優先度に関する情報を必要としない場合には、構成情報生成部１１２は、アセットグループ記述子（Ａｓｓｅｔ＿Ｇｒｏｕｐ＿Ｄｅｓｃｒｉｐｔｏｒ（））を生成しない。
【００３４】
また、映像コンポーネント記述子（Ｖｉｄｅｏ＿Ｃｏｍｐｏｎｅｎｔ＿Ｄｅｓｃｒｉｐｔｏｒ（））は、映像コンポーネントに関するパラメーターが記述される記述子である。
例えば、階層伝送方式を用いた放送において、構成情報生成部１１２は、映像コンポーネント記述子（Ｖｉｄｅｏ＿Ｃｏｍｐｏｎｅｎｔ＿Ｄｅｓｃｒｉｐｔｏｒ（））を生成し、生成した映像コンポーネント記述子（Ｖｉｄｅｏ＿Ｃｏｍｐｏｎｅｎｔ＿Ｄｅｓｃｒｉｐｔｏｒ（））をアセット記述子領域（ａｓｓｅｔ＿ｄｅｓｃｒｉｐｔｏｒｓ＿ｂｙｔｅ）に含める。
【００３５】
以上により、階層伝送方式による放送のアセット毎に、アセットグループ記述子（Ａｓｓｅｔ＿Ｇｒｏｕｐ＿Ｄｅｓｃｒｉｐｔｏｒ（））、及び映像コンポーネント記述子（Ｖｉｄｅｏ＿Ｃｏｍｐｏｎｅｎｔ＿Ｄｅｓｃｒｉｐｔｏｒ（））が生成される。
【００３６】
（アセットグループ記述子のデータ構造）
次に、アセットグループ記述子（Ａｓｓｅｔ＿Ｇｒｏｕｐ＿Ｄｅｓｃｒｉｐｔｏｒ（））の例について説明する。なお、アセットグループ記述子（Ａｓｓｅｔ＿Ｇｒｏｕｐ＿Ｄｅｓｃｒｉｐｔｏｒ（））はＡＲＩＢ（社団法人電波産業会）が、非特許文献３において規定している標準規格である。
図４は、本発明の受信装置が受信するアセットグループ記述子（Ａｓｓｅｔ＿Ｇｒｏｕｐ＿Ｄｅｓｃｒｉｐｔｏｒ（））のデータ構造の一例を示す図である。アセットグループ記述子（Ａｓｓｅｔ＿Ｇｒｏｕｐ＿Ｄｅｓｃｒｉｐｔｏｒ（））は、グループＩＤ（ｇｒｏｕｐ＿ｉｄｅｎｔｉｆｉｃａｔｉｏｎ）、及び選択レベル（ｓｅｌｅｃｔｉｏｎ＿ｌｅｖｅｌ）を含む。
【００３７】
グループＩＤ（ｇｒｏｕｐ＿ｉｄｅｎｔｉｆｉｃａｔｉｏｎ）は、アセットが属するグループの識別情報である。グループは、そのコンテンツを構成するアセットのうち、同じ映像、同じ音声など、内容が同一で同等とみなせるアセットの集合である。なお、ここで、内容が同一で同等とは、符号化方式や解像度などは一致していなくてよい。
選択レベルは、例えば、「０」はデフォルトのアセット、「１」は代替のアセットというように、そのグループ内でのアセットの選択優先順位を示す。
【００３８】
（映像コンポーネント記述子のデータ構造）
次に、映像コンポーネント記述子（Ｖｉｄｅｏ＿Ｃｏｍｐｏｎｅｎｔ＿Ｄｅｓｃｒｉｐｔｏｒ（））の例について説明する。なお、映像コンポーネント記述子（Ｖｉｄｅｏ＿Ｃｏｍｐｏｎｅｎｔ＿Ｄｅｓｃｒｉｐｔｏｒ（））はＡＲＩＢ（社団法人電波産業会）が、非特許文献３において規定している標準規格である。
図５は、本発明の受信装置が受信する映像コンポーネント記述子（Ｖｉｄｅｏ＿Ｃｏｍｐｏｎｅｎｔ＿Ｄｅｓｃｒｉｐｔｏｒ（））のデータ構造の一例を示す図である。映像コンポーネント記述子は、映像信号解像度（ｖｉｄｅｏ＿ｒｅｓｏｌｕｔｉｏｎ）、映像信号アスペクト比（ｖｉｄｅｏ＿ａｓｐｅｃｔ＿ｒａｔｉｏ）、及び映像信号フレームレート（ｖｉｄｅｏ＿ｆｒａｍｅ＿ｒａｔｅ）を含む。
【００３９】
映像信号解像度（ｖｉｄｅｏ＿ｒｅｓｏｌｕｔｉｏｎ）は、映像信号の垂直方向の解像度を示す。映像信号解像度（ｖｉｄｅｏ＿ｒｅｓｏｌｕｔｉｏｎ）は、図６に従って符号化される。
図６は、本発明の受信装置が受信する映像信号解像度（ｖｉｄｅｏ＿ｒｅｓｏｌｕｔｉｏｎ）の値の一例を示す図である。例えば、４Ｋ映像の場合には、４Ｋ映像の垂直方向の解像度は２１６０本であるので、映像信号解像度（ｖｉｄｅｏ＿ｒｅｓｏｌｕｔｉｏｎ）は「６」となる。また、８Ｋ映像の場合には、８Ｋ映像の垂直方向の解像度は４３２０本であるので、映像信号解像度（ｖｉｄｅｏ＿ｒｅｓｏｌｕｔｉｏｎ）は「７」となる。また、ＳＤ（標準画質）映像の場合には、ＳＤ映像の垂直方向の解像度は４８０本であるので、映像信号解像度（ｖｉｄｅｏ＿ｒｅｓｏｌｕｔｉｏｎ）は「３」となる。
【００４０】
映像信号アスペクト比（ｖｉｄｅｏ＿ａｓｐｅｃｔ＿ｒａｔｉｏ）は、映像信号のアスペクト比を示す。映像信号アスペクト比（ｖｉｄｅｏ＿ａｓｐｅｃｔ＿ｒａｔｉｏ）は、図７に従って符号化される。
図７は、本発明の受信装置が受信する映像信号アスペクト比（ｖｉｄｅｏ＿ａｓｐｅｃｔ＿ｒａｔｉｏ）の値の一例を示す図である。例えば、アスペクト比が１６：９（パンベクトルあり）の場合には「２」となる。アスペクト比が４：３の場合には「１」となる。
なお、パンベクトルとは、デジタルテレビ放送における放送信号に付される識別制御情報の一つである画角情報のことであり、４：３のアスペクト比への変更表示を自動識別するための付加情報である。
【００４１】
図５に戻って、映像信号フレームレート（ｖｉｄｅｏ＿ｆｒａｍｅ＿ｒａｔｅ）は、映像信号のフレームレートを示す。映像信号フレームレート（ｖｉｄｅｏ＿ｆｒａｍｅ＿ｒａｔｅ）は、図８に従って符号化される。
図８は、本発明の受信装置が受信する映像信号フレームレート（ｖｉｄｅｏ＿ｆｒａｍｅ＿ｒａｔｅ）の値の一例を示す図である。例えば、フレームレートが６０／１．００１ｆｐｓ（ｆｒａｍｅｓ  ｐｅｒ  ｓｅｃｏｎｄ）の場合には「８」となる。また、フレームレートが３０ｆｐｓの場合には「６」となる。
【００４２】
図３に戻って、ＭＰＴには、インターネット上の場所を示すＵＲＬ（Ｕｎｉｆｏｒｍ  
Ｒｅｓｏｕｒｃｅ  Ｌｏｃａｔｏｒ；統一資源位置指定子）を示す情報が含まれることがある。例えば、放送事業者が、放送番組に関連する番組関連情報（通信コンテンツ）を示すデータを、サーバー装置２１に格納しておく。そして、送信装置１１が、番組データと構成情報とを放送で送信し、その構成情報の中に番組関連情報のＵＲＬの情報を示すデータを含める。
それによって受信装置３１は、放送番組を受信するとともに構成情報からＵＲＬの情報を取得することができる。そして受信装置３１は、そのＵＲＬの情報に基づいて、サーバー装置２１に通信伝送路２２を介して通信コンテンツ要求信号を送信する。以上により、受信装置３１は、サーバー装置２１から受信中の放送番組に関連する番組関連情報を取得することができる。
なおＵＲＬを示す情報は、ＭＰＴのロケーション情報（ＭＭＴ＿ｇｅｎｅｒａｌ＿ｌｏｃａｔｉｏｎ＿ｉｎｆｏ（））に格納される。
【００４３】
（ロケーション情報のデータ構造）
次に、ＭＰＴに含まれるロケーション情報（ＭＭＴ＿ｇｅｎｅｒａｌ＿ｌｏｃａｔｉｏｎ＿ｉｎｆｏ（））の例について説明する。なお、ロケーション情報（ＭＭＴ＿ｇｅｎｅｒａｌ＿ｌｏｃａｔｉｏｎ＿ｉｎｆｏ（））はＡＲＩＢ（社団法人電波産業会）が、非特許文献３において規定している標準規格である。
図９は、本発明の受信装置が受信するロケーション情報（ＭＭＴ＿ｇｅｎｅｒａｌ＿ｌｏｃａｔｉｏｎ＿ｉｎｆｏ（））のデータ構造の一例を示す図である。ロケーション情報（ＭＭＴ＿ｇｅｎｅｒａｌ＿ｌｏｃａｔｉｏｎ＿ｉｎｆｏ（））は、ロケーションタイプ（ｌｏｃａｔｉｏｎ＿ｔｙｐｅ）、ＵＲＬ長（ＵＲＬ＿ｌｅｎｇｔｈ）、及びＵＲＬバイト（ＵＲＬ＿ｂｙｔｅ）を含む。
【００４４】
ロケーションタイプ（ｌｏｃａｔｉｏｎ＿ｔｙｐｅ）は、ロケーション情報の種類を示す。例えば、ロケーション情報の種類がＵＲＬであることを示す場合には、ロケーションタイプ（ｌｏｃａｔｉｏｎ＿ｔｙｐｅ）には、「０ｘ０５」が設定される。ＵＲＬ長（ＵＲＬ＿ｌｅｎｇｔｈ）は、ＵＲＬバイトフィールドの長さをバイト単位で示す。ＵＲＬバイト（ＵＲＬ＿ｂｙｔｅ）は、ＵＲＬを示す。
【００４５】
（サーバー装置の構成）
次に、サーバー装置２１の構成について説明する。
図１０は、本実施形態に係るサーバー装置の構成を示すブロック図である。サーバー装置２１は、制御部２１０、通信部２１３、及び記憶部２１４を含んで構成される。制御部２１０は、通信コンテンツ取得部２１１、及び通信コンテンツ配信部２１２を含んで構成される。
【００４６】
制御部２１０は、サーバー装置２１の種々の動作を制御する。通信コンテンツ取得部２１１は、通信部２１３によって通信伝送路２２を介して、通信コンテンツを取得する。制御部２１０は、通信コンテンツ取得部２１１によって取得した通信コンテンツを記憶部２１４に格納する。制御部２１０は、例えば、ＣＰＵである。
【００４７】
また、制御部２１０は、通信部２１３によって通信伝送路２２を介して、受信装置３１から送信された通信コンテンツ要求信号を取得する。制御部２１０は、通信コンテンツ要求信号を取得したとき、要求された通信コンテンツ要求信号が示す通信コンテンツを、記憶部２１４から取得する。記憶部２１４から取得した通信コンテンツを、通信コンテンツ配信部２１２は、通信部２１３によって通信伝送路２２を介して、受信装置３１へ通信で送信する。
【００４８】
（受信装置の構成）
次に、受信装置３１の構成について説明する。
図１１は、本実施形態に係る受信装置の構成を示すブロック図である。受信装置３１は、チューナー３１１（受信部）、復号部３１２、分離部３１３、音声復号部３１４、音声再生部３１５、映像復号部３１６、ＧＵＩ合成部３１７、映像表示部３１８、通信部３２１、制御部３３１、操作入力部３３２、及び記憶部３４１を含んで構成される。
【００４９】
チューナー３１１は、送信装置１１が送信した放送波を、放送伝送路１２を介して受信する。チューナー３１１は、操作入力部３３２３３２からの指示に基づいて制御部３３１から入力された放送チャンネル信号で指定される放送チャンネルに応じた放送チャンネル帯域を特定する。チューナー３１１は、放送波として受信した放送チャンネル帯域の受信信号をベースバンド信号である多重化データにダウンコンバートしそして復調する。チューナー３１１は、復調した多重化データを復号部３１２に出力する。
【００５０】
復号部３１２は、チューナー３１１から入力された多重化データ（暗号化されている）を、送信装置１１の暗号化部１１４で用いられた方式に対応する復号方式（例えば、ＡＥＳ）で復号し、復号した多重化データを生成する。復号部３１２は、生成した多重化データを分離部３１３に出力する。
【００５１】
分離部３１３は、復号部３１２から入力された復号後の多重化データから番組データ及び構成情報に分離する。分離部３１３は、構成情報を制御部３３１に出力する。また、分離部３１３は、番組データから音声データと映像データを抽出する。分離部３１３は、抽出した音声データを音声復号部３１４に出力し、映像データを映像復号部３１６に出力する。
【００５２】
音声復号部３１４は、分離部３１３から音声データが入力される。入力された音声データは、所定の音声符号化方式（例えば、ＭＰＥＧ−４  オーディオ）で符号化されたデータである。音声復号部３１４は、符号化に用いられた符号化方式と対応する復号方式で入力された音声データを復号し、復号した音声データを生成する。復号した音声データは、各時刻における音声のレベルを示すデータである。
音声再生部３１５は、音声復号部３１４から入力された音声データに基づく音声を再生するものであり、例えば、スピーカーを含んで構成される。
【００５３】
階層伝送方式による放送が提供される場合には、音声復号部３１４に複数の再生方式の音声データが入力され、制御部３３１から音声復号部３１４に方式選択信号が入力されることがある。方式選択信号は、複数の再生方式の音声のうちのいずれかの音声を指示する信号である。音声復号部３１４は、所定の複数の再生方式の音声データのうち、自音声復号部３１４部が処理能力を有する再生方式であって方式選択信号で指定される再生方式に係る音声データについて復号を行い、元の音声データを生成する。音声復号部３１４は、復号した元の音声データを音声再生部３１５に出力する。
【００５４】
したがって、階層伝送方式による放送が提供される場合、方式選択信号で指定された再生方式の音声が音声再生部３１５で再生される。なお、方式選択信号が入力されない場合には、音声復号部３１４は、主放送の音声に係る元の音声データを音声再生部３１５に出力する。
【００５５】
映像復号部３１６は、分離部３１３から映像データが入力される。入力された映像データは、所定の映像符号化方式（例えば、ＨＥＶＣ、ＭＰＥＧ−２  ビデオ）で符号化されたデータである。映像復号部３１６は、符号化に用いられた符号化方式と対応する復号方式で入力された映像データを復号し、復号した映像データを生成する。復号した映像データは、各時刻における映像（フレーム画像）を形成する信号値を示すデータである。映像復号部３１６は、復号した映像データをＧＵＩ合成部３１７に出力する。
【００５６】
階層伝送方式による放送が提供される場合には、映像復号部３１６に複数の解像度の映像データが入力され、制御部３３１から映像復号部３１６に方式選択信号が入力されることがある。方式選択信号は、複数の解像度の映像のうちのいずれかの映像を指示する信号である。映像復号部３１６は、所定の複数の解像度の映像データのうち、自映像復号部３１６が処理能力を有する再生方式であって方式選択信号で指定される解像度に係る映像データについて復号を行い、元の映像データを生成する。
【００５７】
したがって、階層伝送方式による放送が提供される場合、方式選択信号で指定された解像度の映像が、ＧＵＩ合成部３１７を介した後、映像表示部３１８で表示される。なお、方式選択信号が入力されない場合には、映像復号部３１６は、主放送の映像に係る元の映像データを、ＧＵＩ合成部３１７を介して、映像表示部３１８に出力する。
【００５８】
ＧＵＩ（Ｇｒａｐｈｉｃａｌ  Ｕｓｅｒ  Ｉｎｔｅｒｆａｃｅ）合成部３１７は、映像復号部３１６から入力された映像データと、制御部３３１から入力された各種のＧＵＩ画面データとを合成し、映像表示部３１８に表示させる映像データを生成する。ＧＵＩ画面データには、例えば、放送チャンネルを選択するための選局画面データ、電子番組表（ＥＰＧ：Ｅｌｅｃｔｒｉｃ  Ｐｒｏｇｒａｍ  Ｇｕｉｄｅ）データ、等がある。なお、映像表示部３１８は、制御部３３１からＧＵＩ合成部３１７から入力されたＧＵＩ合成部３１７を介して入力されたＧＵＩ画面データに基づく映像を表示する。
したがって、映像表示部３１８には、受信装置３１が受信した映像データに係る映像に、受信装置３１が生成したＧＵＩ画面データに係るＧＵＩ画面の映像が重畳された映像が表示される。
【００５９】
映像表示部３１８は、映像復号部３１６からＧＵＩ合成部３１７を介して入力された映像データに基づく映像を表示するものであり、ディスプレイ、例えば、液晶ディスプレイ、有機ＥＬ（Ｅｌｅｃｔｒｏｌｕｍｉｎｅｓｃｅｎｃｅ）ディスプレイ、等を含んで構成される。
【００６０】
通信部３２１は、通信伝送路２２を介して外部機器、例えば、サーバー装置２１との間で各種のデータを送信及び受信する。受信装置３１の各構成部による送受信は、通信部３２１を介して行われる。通信部３２１は、例えば、ネットワークに接続するための装置であり、すなわち、通信インターフェースである。
【００６１】
制御部３３１は、コンピュータ（ＣＰＵ）を含み（図示せず）、記憶部に格納されたソフトウェアを実行することで、受信装置３１の種々の動作を制御する。制御部３３１は、チューナー３１１から、受信中の放送波の受信状態情報を取得する。制御部３３１は、取得した受信状態情報が、予め定められた基準値より高い値である（受信状態が良好である）か、もしくは低い値である（受信状態が劣悪である）かを検知する。なお、予め定められた基準値とは、例えば、４Ｋ／８Ｋ映像のような高解像度の映像を映像表示部３１８に表示させたときに、快適に視聴ができる受信信号の強度レベルに達しているか否かを示す基準値である。
【００６２】
また、例えば、制御部３３１は、分離部３１３から入力された構成情報から、階層伝送方式による放送であることを検知する。すなわち、映像データに、主放送の映像と副放送の映像とが含まれていることを検出する。
【００６３】
また、例えば、制御部３３１は、受信信号の強度レベルが基準値を下回っていることを認識し、かつ、降雨対応放送が映像データに含まれていることを検出した場合には、方式選択信号を映像復号部３１６に出力する。その方式選択信号とは、階層伝送方式によって主放送と同一の番組をより解像度を落として放送する副放送（降雨対応放送）へ切り替えることを示す信号である。また、制御部３３１は、受信している放送番組に関連する番組関連情報を含む通信コンテンツを取得するため、通信コンテンツ要求信号を、通信部３２１によって、サーバー装置２１に通信で送信する。
【００６４】
制御部３３１は、サーバー装置２１から通信部３２１が受信した通信コンテンツを示すデータを取得する。制御部３３１は、取得した通信コンテンツを示すデータをＧＵＩ合成部３１７に出力する。なお、通信コンテンツには、受信している放送番組に関連する番組関連情報に関する情報などが含まれる。
【００６５】
（制御部の構成）
次に、本実施形態に係る制御部３３１の構成について説明する。
図１２は、本実施形態に係る制御部３３１の構成を示すブロック図である。制御部３３１は、受信レベル検出部３３１１、構成情報復号部３３１２、画面構成決定部３３１３、及び通信コンテンツ取得部３３１４を含んで構成される。
【００６６】
受信レベル検出部３３１１は、チューナー３１１から入力された受信状態情報に基づいて受信状態が良好か劣悪かを判定する。受信状態情報は、例えば、チューナー３１１で検出した放送波の電界強度、放送波で伝送された多重化データのエラーレート、ＣＮ値（Ｃａｒｒｉｅｒ−ｔｏ−Ｎｏｉｓｅ  Ｒａｔｉｏ）のいずれか又は組み合わせである。受信レベル検出部３３１１は、受信状態が良好か劣悪かを示す受信状態情報を生成し、生成した受信状態情報を画面構成決定部３３１３に出力する。受信レベル検出部３３１１は、例えば、次のいずれかに該当する場合には受信状態が劣悪と判定し、いずれも該当しない場合には受信状態が良好と判定する。（ａ）受信電界強度が所定の電界強度の閾値よりも低い、（ｂ）エラーレートが所定のエラーレートの閾値よりも高い、（ｃ）ＣＮ値が所定のＣＮ値の閾値よりも低い。
【００６７】
なお、受信状態を劣悪な状態にする原因となる受信障害には、例えば、降雨によって放送波の電界強度が低下したことによって発生する受信障害、放送波が建造物その他の物体に遮られることによって発生する受信障害、等がある。
【００６８】
受信レベル検出部３３１１は、受信状態が良好であると判定したとき、受信状態が良好であることを示す受信状態情報を生成し、生成した受信状態情報を画面構成決定部３３１３に出力する。受信レベル検出部３３１１は、受信状態が劣悪であると判定したとき、受信状態が劣悪であることを示す受信状態情報を生成し、生成した受信状態情報を画面構成決定部３３１３に出力する。
【００６９】
構成情報復号部３３１２は、分離部３１３から入力された構成情報からＭＰＴを検出し、検出したＭＰＴに基づいて階層伝送方式による放送が提供されているか否かを判定する。ここで、構成情報復号部３３１２は、番組データに係るアセット毎にＭＰＴのアセット記述子領域（ａｓｓｅｔ＿ｄｅｓｃｒｉｐｔｏｒｓ＿ｂｙｔｅ）に記述されたアセットグループ記述子（Ａｓｓｅｔ＿Ｇｒｏｕｐ＿Ｄｅｓｃｒｉｐｔｏｒ（））が記述されているか否かを判定する。
【００７０】
構成情報復号部３３１２は、ＭＰＴにおいて、アセットグループ記述子（Ａｓｓｅｔ＿Ｇｒｏｕｐ＿Ｄｅｓｃｒｉｐｔｏｒ（））が記述されていると判定した場合には、そのアセットグループ記述子（Ａｓｓｅｔ＿Ｇｒｏｕｐ＿Ｄｅｓｃｒｉｐｔｏｒ（））にパラメーター設定されている、グループＩＤ（ｇｒｏｕｐ＿ｉｄｅｎｔｉｆｉｃａｔｉｏｎ）、及び選択レベル（ｓｅｌｅｃｔｉｏｎ＿ｌｅｖｅｌ）を取得する。
【００７１】
また、構成情報復号部３３１２は、そのアセットグループ記述子（Ａｓｓｅｔ＿Ｇｒｏｕｐ＿Ｄｅｓｃｒｉｐｔｏｒ（））が示すアセットについて、映像コンポーネント記述子（Ｖｉｄｅｏ＿Ｃｏｍｐｏｎｅｎｔ＿Ｄｅｓｃｒｉｐｔｏｒ（））を参照する。構成情報復号部３３１２は、映像コンポーネント記述子（Ｖｉｄｅｏ＿Ｃｏｍｐｏｎｅｎｔ＿Ｄｅｓｃｒｉｐｔｏｒ（））にパラメーター設定されている映像信号解像度（ｖｉｄｅｏ＿ｒｅｓｏｌｕｔｉｏｎ）、映像信号アスペクト比（ｖｉｄｅｏ＿ａｓｐｅｃｔ＿ｒａｔｉｏ）、及び映像信号フレームレート（ｖｉｄｅｏ＿ｆｒａｍｅ＿ｒａｔｅ）を取得する。
【００７２】
したがって、構成情報復号部３３１２は、グループＩＤ（ｇｒｏｕｐ＿ｉｄｅｎｔｉｆｉｃａｔｉｏｎ）、選択レベル（ｓｅｌｅｃｔｉｏｎ＿ｌｅｖｅｌ）、映像信号解像度（ｖｉｄｅｏ＿ｒｅｓｏｌｕｔｉｏｎ）、映像信号アスペクト比（ｖｉｄｅｏ＿ａｓｐｅｃｔ＿ｒａｔｉｏ）、及び映像信号フレームレート（ｖｉｄｅｏ＿ｆｒａｍｅ＿ｒａｔｅ）の１組を、１つのアセットに係る構成情報として取得する。
【００７３】
階層伝送方式によって、主放送と副放送（降雨対応放送）が放送されているときに、構成情報復号部３３１２が取得する構成情報の一例を示す。
主放送の構成情報は、グループＩＤ（ｇｒｏｕｐ＿ｉｄｅｎｔｉｆｉｃａｔｉｏｎ）には「０ｘ００」、選択レベル（ｓｅｌｅｃｔｉｏｎ＿ｌｅｖｅｌ）が「０」、映像信号解像度（ｖｉｄｅｏ＿ｒｅｓｏｌｕｔｉｏｎ）が「７」、映像信号アスペクト比（ｖｉｄｅｏ＿ａｓｐｅｃｔ＿ｒａｔｉｏ）が「２」、及び映像信号フレームレート（ｖｉｄｅｏ＿ｆｒａｍｅ＿ｒａｔｅ）が「１１」となっている。
副放送の構成情報は、グループＩＤ（ｇｒｏｕｐ＿ｉｄｅｎｔｉｆｉｃａｔｉｏｎ）には「０ｘ００」、選択レベル（ｓｅｌｅｃｔｉｏｎ＿ｌｅｖｅｌ）が「１」、映像信号解像度（ｖｉｄｅｏ＿ｒｅｓｏｌｕｔｉｏｎ）が「３」、映像信号アスペクト比（ｖｉｄｅｏ＿ａｓｐｅｃｔ＿ｒａｔｉｏ）が「１」、及び映像信号フレームレート（ｖｉｄｅｏ＿ｆｒａｍｅ＿ｒａｔｅ）が「５」となっている。
【００７４】
上記の例において、グループＩＤ（ｇｒｏｕｐ＿ｉｄｅｎｔｉｆｉｃａｔｉｏｎ）が共に「０ｘ００」となっているのは、その２つの構成情報に係る各番組データが同一の放送番組の番組データであることを表す。そして、選択レベル（ｓｅｌｅｃｔｉｏｎ＿ｌｅｖｅｌ）がそれぞれ「０」と「１」になっているのは、「０」がデフォルトの映像、つまり主放送であり、「１」が副放送であることを示す。すなわち、同一のグループＩＤ（ｇｒｏｕｐ＿ｉｄｅｎｔｉｆｉｃａｔｉｏｎ）を持つ複数の番組データがあり、かつ、選択レベル（ｓｅｌｅｃｔｉｏｎ＿ｌｅｖｅｌ）によって優先度が付けられている場合に、構成情報復号部３３１２は、階層伝送方式による主放送と副放送（例えば、降雨対応放送）が行われていることを検知することができる。
【００７５】
なお、主放送と副放送の２種類だけでなく、３種類以上の放送が含まれていても構わない。その場合、選択レベル（ｓｅｌｅｃｔｉｏｎ＿ｌｅｖｅｌ）は、「０」、「１」のほか、「２」、「３」、「４」といった値がパラメーター設定される。「０」はデフォルトの放送であり、「０」以外のパラメーター値については、数字が小さいものほど高い優先度が付けられたアセットであることを示す。
【００７６】
例えば、選択レベル（ｓｅｌｅｃｔｉｏｎ＿ｌｅｖｅｌ）のパラメーター値の数値が大きいものほど、より解像度が低いことを示すように規定しておくことによって、数値が大きいものほど放送映像の映像サイズは小さくなり、映像表示部３１８の映像表示領域の余白部分が大きくなることがわかる。すなわち、映像表示領域の中で、通信コンテンツを表示できる表示領域がより大きくなることが分かる。したがって、選択レベル（ｓｅｌｅｃｔｉｏｎ＿ｌｅｖｅｌ）のパラメーター値の数値の大きさによって、取得する通信コンテンツのデータ量を変化させるような構成にしてもよい。すなわち、放送映像の表示領域がより小さくなるときほど、通信コンテンツを表示する表示領域をより大きくするような構成である。
【００７７】
画面構成決定部３３１３は、受信レベル検出部３３１１から、受信状態情報を取得する。また、例えば、画面構成決定部３３１３は、構成情報復号部３３１２から、グループＩＤ（ｇｒｏｕｐ＿ｉｄｅｎｔｉｆｉｃａｔｉｏｎ）、選択レベル（ｓｅｌｅｃｔｉｏｎ＿ｌｅｖｅｌ）、映像信号解像度（ｖｉｄｅｏ＿ｒｅｓｏｌｕｔｉｏｎ）、映像信号アスペクト比（ｖｉｄｅｏ＿ａｓｐｅｃｔ＿ｒａｔｉｏ）、及び映像信号フレームレート（ｖｉｄｅｏ＿ｆｒａｍｅ＿ｒａｔｅ）を１組の構成情報とした、２組（すなわち、主放送と副放送）の構成情報を取得する。
【００７８】
構成情報復号部３３１２は、例えば、受信状態が劣悪であることを示す受信状態情報を取得した場合において、上記の例のように主放送と副放送の２組の構成情報を取得しているとき、方式選択信号を映像復号部３１６に出力する。その方式選択信号とは、階層伝送方式によって主放送と同一の番組をより解像度を落として放送する副放送（すなわち、降雨対応放送）へ切り替えることを示す信号である。
【００７９】
また、画面構成決定部３３１３は、受信している放送番組に関連する番組関連情報を含む通信コンテンツを取得するため、通信コンテンツ要求信号を、通信コンテンツ取得部３３１４から通信部３２１に出力する。
【００８０】
画面構成決定部３３１３は、サーバー装置２１が通信で送信した通信コンテンツを示すデータを、通信部３２１から取得する。画面構成決定部３３１３は、取得した通信コンテンツを示すデータをＧＵＩ合成部３１７に出力する。なお、通信コンテンツには、視聴者が視聴中の放送番組に関連する番組関連情報などが含まれる。
【００８１】
ＧＵＩ合成部３１７は、映像復号部３１６から入力された映像データが示す放送番組の映像に、画面構成決定部３３１３から入力されたＧＵＩ画面データが示す通信コンテンツに基づく映像（ＧＵＩ画面）を重畳させた映像を生成し、映像表示部３１８に表示させる。
図１３は、本実施形態に係る、放送番組の映像に通信コンテンツに基づく映像（ＧＵＩ画面）を重畳させた映像の一例を示す概略図である。図１３の（Ａ）においては、映像表示領域５１１ａに、放送番組の映像５２１ａが表示されている。図１３の（Ｂ）においては、映像表示領域５１１ｂに、放送番組の映像５２１ｂと通信コンテンツの映像（ＧＵＩ画面）５２２とが表示されている。
【００８２】
図１３（Ａ）は、副放送に受信を切り替える前の、主放送の映像５２１ａを映像表示部３１８が表示している表示例である。図１３（Ａ）では、映像表示部３１８における映像表示領域５１１ａ全体に、プロ野球中継の番組である放送映像が表示されていることを表している。
一方、図１３（Ｂ）は、副放送に受信を切り替えた後であり、映像表示部３１８が備える解像度よりも解像度が低い副放送の映像５２１ｂを、映像表示部３１８が表示している表示例である。解像度が低い副放送の映像は、図１３（Ｂ）が示すように、映像表示領域５１１ｂの一部分を使って表示される。映像表示部３１８は、その副放送の映像が表示されている領域の下部の領域に、通信コンテンツである「他球場の途中経過」の情報を表示している。すなわち、「プロ野球中継」の放送映像の下部領域に、番組関連情報である「他球場の途中経過」の情報を表示している。
【００８３】
（受信装置の動作）
次に受信装置３１の動作について説明する。
図１４は、本実施形態に係る受信装置３１の動作を示すフローチャートである。
本フローチャートは、分離部３１３が、復号部３１２から入力された復号後の多重化データから、番組データ及び構成情報に分離したときに処理が開始される。
【００８４】
（ステップＳ１０１）分離部３１３は、復号部３１２で復号された多重化データからＭＰＴを検出し、検出したＭＰＴを分離する。制御部３３１の構成情報復号部３３１２は、ＭＰＴを分離部３１３から取得し、ＭＰＴに含まれるアセット毎のアセットグループ記述子（Ａｓｓｅｔ＿Ｇｒｏｕｐ＿Ｄｅｓｃｒｉｐｔｏｒ（））を参照する。構成情報復号部３３１２は、アセットグループ記述子（Ａｓｓｅｔ＿Ｇｒｏｕｐ＿Ｄｅｓｃｒｉｐｔｏｒ（））の選択レベル（ｓｅｌｅｃｔｉｏｎ＿ｌｅｖｅｌ）に設定されている値を検出する。
その後、Ｓ１０２に進む。
【００８５】
（ステップＳ１０２）
選択レベル（ｓｅｌｅｃｔｉｏｎ＿ｌｅｖｅｌ）に設定されている値が「０」（デフォルト）であった場合、ステップＳ１０１に戻る。値が「０」である場合とは、すなわち、そのアセットに含まれる映像が主放送の映像であることを示す。
また、選択レベル（ｓｅｌｅｃｔｉｏｎ＿ｌｅｖｅｌ）に設定されている値が「０」でなかった場合、ステップＳ１０３へ進む。値が「０」でなかった場合とは、すなわち、値が「１」以上であった場合であり、そのアセットに含まれる映像が副放送（例えば、降雨対応放送）の映像であることを示す。
【００８６】
（ステップＳ１０３）
受信レベル検出部３３１１は、チューナー３１１から入力された受信状態情報を取得し、受信状態情報が示す受信状態が、良好であるか劣悪であるかを確認する。その後、ステップＳ１０４へ進む。
（ステップＳ１０４）
受信レベル検出部３３１１は、確認した受信状態情報に基づいて受信状態を判定する。
受信状態が劣悪であるならば、ステップＳ１０５へ進む。受信状態が良好であるならば、ステップＳ１０１へ戻る。
【００８７】
（ステップＳ１０５）
制御部３３１は、視聴者に降雨対応放送へ階層伝送方式を切り替えることを通知する通知画面のデータを生成する。通知画面は、記憶部３４１に記憶されている通知メッセージを記憶部３４１から取得することによって生成される。この場合の通知画面のデータとは、例えば、映像表示部３１８に「降雨対応放送に映像を切り替えます。」と表示をするようなＧＵＩ画面データである。ＧＵＩ合成部３１７は、生成された通知画面を示すＧＵＩ画面データの映像を、放送映像に重畳させて映像表示部３１８に表示させることによって、視聴者に通知をする。その後、ステップＳ１０６へ進む。
【００８８】
（ステップＳ１０６）
映像復号部３１６は、画面構成決定部３３１３から、副放送（例えば、降雨対応放送）の映像へ切り替えることを示す方式選択信号を取得する。映像復号部３１６は、ＧＵＩ合成部３１７に出力する映像データを、主放送から副放送に切り替える。その後、ステップＳ１０７へ進む。
【００８９】
（ステップＳ１０７）
通信コンテンツ取得部３３１４は、通信部３２１を介して、通信コンテンツ要求信号を、サーバー装置２１に送信する。通信コンテンツ取得部３３１４は、サーバー装置２１から通信コンテンツ（例えば、番組関連情報）を示すデータを取得する。画面構成決定部３３１３は通信コンテンツ取得部３３１４が取得した通信コンテンツのデータをＧＵＩ合成部３１７に出力する。
ＧＵＩ合成部３１７は、主放送の映像よりも縮小された副放送（例えば、降雨対応放送）の映像へ切り替えたことによって生じた画面の余白の部分に、通信コンテンツのデータに基づく映像（ＧＵＩ画面）が表示されるように、副放送の放送映像にＧＵＩ画面データの映像を重畳させて、映像表示部３１８に表示させる。その後、図１４に示す処理を終了する。
【００９０】
以上、説明したように、本発明の第１の実施形態に係る受信装置３１は、受信した構成情報のうち、ＭＰＴから、同一の放送番組であり映像の解像度が異なるの複数の番組データの存在を検出する構成情報復号部３３１２を備える。また、受信装置３１は、チューナー３１１から入力された受信状態情報に基づいて受信状態が良好か劣悪かを判定する受信レベル検出部３３１１を備える。また、受信装置３１は、受信している放送波に含まれる番組データ、および受信状態に基づいて、表示させる映像を切り替えるかを判断する画面構成決定部３３１３を備える。
画面構成決定部３３１３は、表示させる映像を切り替えると判断した場合には、サーバー装置２１から通信コンテンツを取得して、放送映像に重畳させて映像表示部３１８に表示させるＧＵＩ画面の映像を生成するための、ＧＵＩ画面データを生成する。
【００９１】
この構成により、例えば、階層伝送方式による放送によって、主放送と同時に副放送（例えば、降雨対応放送）の番組データを選択的に受信可能な場合において、かつ、降雨によって放送波が減衰（降雨減衰）した時など、放送波の受信状態が劣悪であることを検知した場合において、（受信状態が劣悪であっても視聴が可能な）副放送に受信を切り換えをすることで、劣悪な受信状態でも視聴を継続することができる。
また、この構成により、主放送よりも映像サイズが小さい副放送に受信を切り替えたことによって生じる映像表示部３１８上の余白のスペースに、受信中の放送番組に関連する番組関連情報などの通信コンテンツを表示させることができる。それにより、デジタルテレビ受信機が本来備えている解像度の高さや画面のサイズを活かした映像を視聴者に提供することができる。
【００９２】
（第２の実施形態）
本発明の第２の実施形態について説明する。
第１の実施形態における受信装置３１は、受信状態が劣悪であることを判断したときに、主放送の映像の表示から、縮小して表示される副放送（例えば、降雨対応放送）の映像に通信コンテンツ（例えば、番組関連情報）に基づく映像（ＧＵＩ画面）を重畳させた映像の表示へ、自動的に切り替えをした。
【００９３】
しかしながら、視聴者によっては、また、番組のジャンルによっては、必ずしも良い画質で映像を表示させる必要がない場合も考えられる。例えば、視聴者が、移動中に携帯型の小型端末で視聴をする場合や、インターネット端末を操作しながら同時にテレビを見るような、いわゆる「ながら視聴」をするような場合などである。また、例えば、番組のジャンルが、高画質での表示を要求されないアニメやニュース番組である場合や、視聴者にとっては映像よりも音声が重要な音楽番組である場合などである。このような場合に、縮小された画面に切り替えをせずに、画質が悪くなったとしても大画面で視聴を続けたいと考える視聴者がいることも想定される。
【００９４】
第２の実施形態では、受信状態が劣悪であることを示す受信状態情報を画面構成決定部３３１３が受け取った際に、視聴者自身による選択によって、映像の表示方法を決定される。つまり、降雨対応放送の映像の本来のサイズである縮小された映像に切り替えるか、または、降雨対応放送の映像を映像表示部３１８の大きさに合わせて拡大して表示させるか、を視聴者自身による選択によって決定する実施形態について説明する。
なお、第１の実施形態と共通している部分については、説明を一部省略する。
【００９５】
（受信装置の構成）
受信装置３１の構成について、図１１を用いて説明する。
制御部３３１は、受信装置３１の種々の動作を制御する。例えば、制御部３３１は、チューナー３１１から、受信中の放送波の受信状態情報を取得する。制御部３３１は、取得した受信状態情報が、予め定められた基準値より高い値である（受信状態が良好である）か、もしくは低い値である（受信状態が劣悪である）かを認識する。なお、予め定められた基準値とは、例えば、４Ｋ／８Ｋ映像のような高解像度の映像を映像表示部３１８に表示させたときに、快適に視聴ができる受信信号の強度レベルに達しているか否かを示す基準値である。
【００９６】
また、例えば、制御部３３１は、分離部３１３から入力された構成情報から、１つの番組で複数の解像度の映像データと、１つの番組で複数の再生方式の音声データと、が提供される階層伝送方式の放送の存在を検出する。なお、階層伝送方式を用いた放送には、例えば、降雨による放送波の減衰の対策として、主放送と同一の番組をより解像度や音質を落とした副放送を同時に放送する、降雨対応放送がある。
【００９７】
また、例えば、制御部３３１は、受信信号レベルが基準値を下回っている（受信状態が劣悪である）ことを認識し、かつ、降雨対応放送の存在を検出した場合には、視聴者に降雨対応放送へ階層伝送方式を切り替えることを示す通知画面のデータを生成する。通知画面は、記憶部３４１に記憶されている通知メッセージ及び映像表示レイアウトの選択ボタン画像を示すデータを記憶部３４１から取得することによって生成される。
この場合の通知画面のデータとは、例えば、「降雨対応放送に映像を切り替えます。表示モードを選択してください。＜降雨対応放送を拡大して見る＞＜降雨対応放送と番組関連コンテンツを見る＞」と表示するようなＧＵＩ画面データである。「降雨対応放送に映像を切り替えます。表示モードを選択してください。」は通知メッセージであり、＜降雨対応放送を拡大して見る＞及び＜降雨対応放送と番組関連コンテンツを見る＞は、それぞれ映像表示レイアウトの選択ボタン画像に記載された文言を表す。
【００９８】
記憶部３４１は、各種のデータを記憶する。記憶部３４１は、記憶媒体、例えば、ＨＤＤ（Ｈａｒｄ  Ｄｉｓｋ  Ｄｒｉｖｅ）、フラッシュメモリ、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００９９】
制御部３３１は、その通知画面を示すＧＵＩ画面データを、ＧＵＩ合成部３１７へ出力する。ＧＵＩ合成部３１７は、映像復号部３１６から入力された映像データに、通知画面を示すＧＵＩ画面データを重畳させて、映像表示部３１８に表示させる。視聴者は、映像表示部３１８に表示されたその通知画面を参照し、操作入力部３３２を通じて、＜降雨対応放送を拡大して見る＞、または＜降雨対応放送と番組関連コンテンツを見る＞のどちらかのボタン画像を選択することができる。
操作入力部３３２は、視聴者による操作入力を受け付けることで生成される操作信号を取得し、取得した操作信号を制御部３３１に出力する。
【０１００】
なお、操作入力部３３２が生成する操作信号とは、その他には例えば、電源のオン／オフを示す信号、放送波のチャネルを示す信号、がある。操作入力部３３２は、例えば、操作ボタン、リモートコントローラ、携帯端末装置等の電子機器から操作信号を受信する入力インタフェース、等である。
【０１０１】
制御部３３１は、操作入力部３３２から入力された操作信号が、＜降雨対応放送を拡大して見る＞を示す操作信号であった場合には、方式選択信号を映像復号部３１６に出力する。その方式選択信号とは、階層伝送方式によって主放送と同一の番組をより解像度や音質を落として放送する副放送（すなわち、降雨対応放送）へ切り替えることを示す信号であり、かつ、その降雨対応放送を映像表示部３１８の映像表示領域（例えば、図１３（Ａ）の映像表示領域）のサイズに拡大して表示させることを示す信号である。
【０１０２】
制御部３３１は、操作入力部３３２から入力された操作信号が、＜降雨対応放送と番組関連コンテンツを見る＞を示す操作信号であった場合には、方式選択信号を音声復号部３１４及び映像復号部３１６に出力する。その方式選択信号とは、階層伝送方式によって主放送と同一の番組をより解像度や音質を落として放送する副放送（すなわち、降雨対応放送）へ切り替えることを示す信号である。また、制御部３３１は、受信している放送番組に関連する番組関連情報を含む通信コンテンツを示すデータを取得するため、通信コンテンツ要求信号を、通信部３２１によって、サーバー装置２１に通信で送信する。
【０１０３】
制御部３３１は、通信部３２１によって、サーバー装置２１から受信した通信コンテンツを示すデータを取得する。制御部３３１は、取得した通信コンテンツ（受信している放送番組に関連する番組関連情報を含む）をＧＵＩ合成部３１７に出力する。
【０１０４】
（制御部の構成）
構成情報復号部３３１２は、例えば、受信状態が劣悪であることを示す受信状態情報を取得した場合において、上記の例のように、例えば、主放送と副放送の２組の構成情報を取得しているとき、上述の通り、視聴者に降雨対応放送へ階層伝送方式を切り替えることを示す通知画面のデータを生成する。通知画面は、記憶部３４１に記憶されている通知メッセージ及び映像表示レイアウト選択ボタン画像を示すデータを、記憶部３４１から取得することによって生成される。
この場合の通知画面のデータとは、例えば、「降雨対応放送に映像を切り替えます。表示モードを選択してください。＜降雨対応放送を拡大して見る＞＜降雨対応放送と番組関連コンテンツを見る＞」と表示するようなＧＵＩ画面の映像を生成するためのＧＵＩ画面データである。このうち、「降雨対応放送に映像を切り替えます。表示モードを選択してください。」は通知メッセージであり、＜降雨対応放送を拡大して見る＞及び＜降雨対応放送と番組関連コンテンツを見る＞は、それぞれ映像表示レイアウト選択ボタン画像に記載された文言を表す。
【０１０５】
画面構成決定部３３１３は、その通知画面を示すＧＵＩ画面データを、ＧＵＩ合成部３１７へ出力する。
視聴者によって、操作入力部３３２を通じて入力される操作信号を、画面構成決定部３３１３は取得する。入力される操作信号とは、＜降雨対応放送を拡大して見る＞、または＜降雨対応放送と番組関連コンテンツを見る＞のどちらかの映像表示レイアウト選択ボタン画像を選択したことを示す操作信号である。
【０１０６】
画面構成決定部３３１３は、操作入力部３３２から入力された操作信号が、＜降雨対応放送を拡大して見る＞を示す操作信号であった場合には、方式選択信号を映像復号部３１６に出力する。その方式選択信号とは、階層伝送方式によって主放送と同一の番組をより解像度や音質を落として放送する副放送（すなわち、降雨対応放送）へ切り替えることを示す信号であり、かつ、その降雨対応放送を映像表示部３１８が備える映像表示領域のサイズに拡大して表示させることを示す信号である。
【０１０７】
画面構成決定部３３１３は、操作入力部３３２から入力された操作信号が、＜降雨対応放送と番組関連コンテンツを見る＞を示す操作信号であった場合には、方式選択信号を映像復号部３１６に出力する。その方式選択信号とは、階層伝送方式によって主放送と同一の番組をより解像度や音質を落として放送する副放送（すなわち、降雨対応放送）へ切り替えることを示す信号である。また、画面構成決定部３３１３は、受信している放送番組に関連する番組関連情報を含む通信コンテンツを示すデータを取得するため、通信コンテンツ要求信号を、通信コンテンツ取得部３３１４から通信部３２１に出力する。
【０１０８】
画面構成決定部３３１３は、サーバー装置２１が通信で送信した通信コンテンツを示すデータを通信部３２１によって取得する。画面構成決定部３３１３は、取得した通信コンテンツ（受信している放送番組に関連する番組関連情報を含む）を示すデータをＧＵＩ合成部３１７に出力する。
【０１０９】
（受信装置の動作）
次に受信装置３１の動作について説明する。
図１５は、本発明の第２の実施形態に係る受信装置の動作を示すフローチャートである。
本フローチャートは、分離部３１３が、復号部３１２から入力された復号後の多重化データから、番組データ及び構成情報に分離したときに処理が開始される。
【０１１０】
（ステップＳ２０１）分離部３１３は、復号部３１２で復号された多重化データからＭＰＴを検出し、検出したＭＰＴを分離する。制御部３３１の構成情報復号部３３１２は、ＭＰＴを分離部３１３から取得し、ＭＰＴに含まれるアセットグループ記述子（Ａｓｓｅｔ＿Ｇｒｏｕｐ＿Ｄｅｓｃｒｉｐｔｏｒ（））を参照する。構成情報復号部３３１２は、アセットグループ記述子（Ａｓｓｅｔ＿Ｇｒｏｕｐ＿Ｄｅｓｃｒｉｐｔｏｒ（））の選択レベル（ｓｅｌｅｃｔｉｏｎ＿ｌｅｖｅｌ）に設定されている値を検出する。その後、Ｓ１０２に進む。
【０１１１】
（ステップＳ２０２）
選択レベル（ｓｅｌｅｃｔｉｏｎ＿ｌｅｖｅｌ）に設定されている値が「０」（デフォルト）であった場合、ステップＳ２０１に戻る。値が「０」である場合とは、すなわち、そのアセットに含まれる映像が主放送の映像であることを示す。
また、選択レベル（ｓｅｌｅｃｔｉｏｎ＿ｌｅｖｅｌ）に設定されている値が「０」でなかった場合、ステップＳ２０３へ進む。値が「０」でなかった場合とは、すなわち、値が「１」以上であった場合であり、そのアセットに含まれる映像が副放送（例えば、降雨対応放送）の映像であることを示す。
【０１１２】
（ステップＳ２０３）
受信レベル検出部３３１１は、チューナー３１１から入力された受信状態情報を取得し、受信状態情報が示す受信状態が、良好であるか劣悪であるかを確認する。その後、ステップＳ２０４へ進む。
（ステップＳ２０４）
受信レベル検出部３３１１は、確認した受信状態情報に基づいて受信状態を判定する。
受信状態が劣悪であるならば、ステップＳ１０５へ進む。受信状態が良好であるならば、ステップＳ２０１へ戻る。
【０１１３】
（ステップＳ２０５）
制御部３３１は、視聴者に降雨対応放送へ階層伝送方式を切り替えることを通知する通知画面のデータを生成する。通知画面は、記憶部３４１に記憶されている通知メッセージを記憶部３４１から取得することによって生成される。
この場合の通知画面のデータとは、例えば、映像表示部３１８に「降雨対応放送に映像を切り替えます。表示モードを選択してください。＜降雨対応放送を拡大して見る＞＜降雨対応放送と番組関連コンテンツを見る＞」と表示をするようなＧＵＩ画面データである。ＧＵＩ合成部３１７は、生成された通知画面を示すＧＵＩ画面データの映像を、放送映像に重畳させて映像表示部３１８に表示させることによって、視聴者に通知をする。その後、ステップＳ２０６へ進む。
【０１１４】
（ステップＳ２０６）
視聴者によって、操作入力部３３２を通じて入力される操作信号を、画面構成決定部３３１３は取得する。入力される操作信号とは、＜降雨対応放送を拡大して見る＞、または＜降雨対応放送と番組関連コンテンツを見る＞のどちらかの映像表示レイアウト選択ボタン画像を選択したことを示す操作信号である。
操作入力部３３２から入力された操作信号が、＜降雨対応放送を拡大して見る＞を示す操作信号であった場合には、ステップＳ２０９へ進む。
操作入力部３３２から入力された操作信号が、＜降雨対応放送と番組関連コンテンツを見る＞を示す操作信号であった場合には、ステップＳ２０７へ進む。
【０１１５】
（ステップＳ２０７）
映像復号部３１６は、画面構成決定部３３１３から、副放送（例えば、降雨対応放送）の映像へ切り替えることを示す方式選択信号を取得する。映像復号部３１６は、ＧＵＩ合成部３１７に出力する映像データを、主放送から副放送に切り替える。その後、ステップＳ２０８へ進む。
【０１１６】
（ステップＳ２０８）
通信コンテンツ取得部３３１４は、通信部３２１を介して、通信コンテンツ要求信号を、サーバー装置２１に送信する。通信コンテンツ取得部３３１４は、サーバー装置２１から通信コンテンツ（例えば、番組関連情報）を示すデータを取得する。画面構成決定部３３１３は通信コンテンツ取得部３３１４が取得した通信コンテンツを示すデータをＧＵＩ合成部３１７に出力する。
ＧＵＩ合成部３１７は、主放送の映像よりも縮小された副放送（例えば、降雨対応放送）の映像へ切り替えたことによって生じた画面の余白の部分に、通信コンテンツのデータに基づく映像（ＧＵＩ画面）が表示されるように、副放送の放送映像にＧＵＩ画面データの映像を重畳させて、映像表示部３１８に表示させる。その後、図１５に示す処理を終了する。
【０１１７】
（ステップＳ２０９）
映像復号部３１６は、画面構成決定部３３１３から、副放送（例えば、降雨対応放送）の映像へ切り替えることを示す方式選択信号を取得する映像復号部３１６は、ＧＵＩ合成部３１７に出力する映像データを、主放送から副放送に切り替える。
また、ＧＵＩ合成部３１７は、その（主放送よりも解像度が低い）副放送の映像を、映像表示部３１８が備える映像表示領域のサイズに拡大して、映像表示部３１８に表示させる。その後、図１５に示す処理を終了する。
【０１１８】
以上、説明したように、本発明の第２の実施形態に係る受信装置３１は、受信した構成情報のうち、ＭＰＴから、同一の放送番組であり映像の解像度が異なるの複数の番組データの存在を検出する構成情報復号部３３１２を備える。また、受信装置３１は、チューナー３１１から入力された受信状態情報に基づいて受信状態が良好か劣悪かを判定する受信レベル検出部３３１１を備える。また、受信装置３１は、受信している放送波に含まれる番組データ、および受信状態に基づいて、表示させる映像を切り替えるかを判断する画面構成決定部３３１３を備える。
【０１１９】
画面構成決定部３３１３は、表示させる映像を切り替えると判断した場合には、視聴者に映像表示モードを選択させるための通知画面を生成する。視聴者の操作入力による信号に基づいて、画面構成決定部３３１３は、ＧＵＩ合成部３１７を制御する。
【０１２０】
視聴者の操作入力による信号が、副放送を拡大表示させることを示す信号であった場合は、画面構成決定部３３１３は、ＧＵＩ合成部３１７に、映像表示部３１８が備える映像表示領域のサイズに副放送の映像を拡大させて映像表示部３１８に表示させるように制御する。
視聴者の操作入力による信号が、副放送とともに番組関連情報等の通信コンテンツを表示させることを示す信号であった場合は、画面構成決定部３３１３は、サーバー装置２１から通信コンテンツを示すデータを取得して、副放送の映像に重畳させて映像表示部３１８に表示させるＧＵＩ画面の映像を生成するための、ＧＵＩ画面データを生成する。
【０１２１】
この構成により、例えば、階層伝送方式による放送によって、主放送と同時に副放送（例えば、降雨対応放送）の番組データを選択的に受信可能な場合において、かつ、降雨によって放送波が減衰（降雨減衰）した時など、放送波の受信状態が劣悪であることを検知した場合において、視聴者自身による選択によって、映像の表示方法が決定される。
つまり、降雨対応放送の映像の本来のサイズである縮小された映像に切り替えて通信コンテンツを併せて表示させるか、または、降雨対応放送の映像を映像表示部３１８の大きさに合わせて拡大して表示させるか、について視聴者自身による選択によって決定がなされる。それによって、デジタルテレビ受信機が本来備えている解像度の高さや画面のサイズを活かした映像を視聴者に提供することができる。
【０１２２】
なお、第２の実施形態においても、主放送と副放送の２種類だけでなく、３種類以上の放送が含まれていても構わない。例えば、アセットグループ記述子（Ａｓｓｅｔ＿Ｇｒｏｕｐ＿Ｄｅｓｃｒｉｐｔｏｒ（））に含まれる選択レベル（ｓｅｌｅｃｔｉｏｎ＿ｌｅｖｅｌ）のパラメーター値が大きいものほど、より解像度が低いことを示すように対応付けをしておくことによって、そのパラメーター値がより大きいときほど、放送映像領域の大きさが小さくなることが分かる。すなわち、逆に、通信コンテンツを表示できる表示領域がより大きくなることが分かる。
【０１２３】
したがって、選択レベル（ｓｅｌｅｃｔｉｏｎ＿ｌｅｖｅｌ）のパラメーター値の数値の大きさによって、取得する通信コンテンツのデータ量を変化させるような構成にしてもよい。選択レベル（ｓｅｌｅｃｔｉｏｎ＿ｌｅｖｅｌ）のパラメーター値が大きいときほど、より多くの通信コンテンツのデータをサーバー装置２１から取得して、より多くの通信コンテンツに基づく情報を通信コンテンツ表示領域に表示させるような構成である。
【０１２４】
（第３の実施形態）
本発明の第３の実施形態について、説明する。
第１、第２の実施形態では、放送映像に通信コンテンツの映像を重畳させて映像を生成することについて説明をした。なお、この放送映像と通信コンテンツの映像とを組み合わせた映像の生成については、放送通信連携サービスのアプリケーションを起動することによって実現してもよい。
【０１２５】
最近では、新たな放送通信連携サービスの１つとして、例えば、Ｈｙｂｒｉｄｃａｓｔ（ハイブリッドキャスト）（登録商標）を用いたサービスがある。Ｈｙｂｒｉｄｃａｓｔとは、放送コンテンツの映像上に通信コンテンツの映像を重畳させて１つの映像とし、Ｈｙｂｒｉｄｃａｓｔ対応のデジタルテレビ受信機のディスプレイにその映像を表示させるための基盤技術である。
第３の実施形態では、受信状態が劣悪であることを示す受信状態情報を画面構成決定部３３１３が受け取った際に、放送通信連携サービス（例えば、Ｈｙｂｒｉｄｃａｓｔ（登録商標））のアプリケーションを起動するか否かを視聴者に選択させる実施形態について説明する。
なお、第１の実施形態、及び第２の実施形態と共通している部分については、説明を一部省略する。
【０１２６】
第３の実施形態に係る放送システムによって実現される放送通信連携サービス（例えば、Ｈｙｂｒｉｄｃａｓｔ（登録商標））においては、アプリケーションの情報を格納するＡＩＴ（Ａｐｐｌｉｃａｔｉｏｎ  Ｉｎｆｏｒｍａｔｉｏｎ  Ｔａｂｌｅ；アプリケーション情報テーブル）に基づいてアプリケーションの起動を制御する。なお、多重化方式としてＭＭＴを用いる放送システムにおいては、ＡＩＴと同機能を有する制御情報であるＭＨ−ＡＩＴ（Ｍｐｅｇ−Ｈ−Ａｐｐｌｉｃａｔｉｏｎ  Ｉｎｆｏｒｍａｔｉｏｎ  Ｔａｂｌｅ；ＭＨ−アプリケーション情報テーブル）を用いることができる。つまり多重化方式としてＭＭＴを用いる放送システムの受信装置は、ＭＨ−ＡＩＴに基づいてアプリケーションの起動を制御する。
【０１２７】
なお、ＭＨ−ＡＩＴは、ＭＰＴと同様、受信装置３１が受信する構成情報の中に含まれるデータの１つである。第３の実施形態に係る放送システム１の受信装置３１においては、ＭＨ−ＡＩＴに含まれる情報に基づいてアプリケーションの起動を制御するものとする。
【０１２８】
（ＭＨ−ＡＩＴのデータ構造）
次に、構成情報に含まれるＭＨ−ＡＩＴのデータの例について説明する。なお、ＭＨ−ＡＩＴはＡＲＩＢ（Ａｓｓｏｃｉａｔｉｏｎ  ｏｆ  Ｒａｄｉｏ  Ｉｎｄｕｓｔｒｉｅｓ
ａｎｄ  Ｂｕｓｉｎｅｓｓｅｓ：社団法人電波産業会）が、非特許文献３において規定している標準規格である。
図１６は、本実施形態に係る受信装置が受信する構成情報に含まれるＭＨ−ＡＩＴのデータ構造の一例を示す図である。図１６に示す例では、ＭＨ−ＡＩＴは、アプリケーション形式（ａｐｐｌｉｃａｔｉｏｎ＿ｔｙｐｅ）、アプリケーション識別子（ａｐｐｌｉｃａｔｉｏｎ＿ｉｄｅｎｔｉｆｉｅｒ（））、アプリケーション制御コード（ａｐｐｌｉｃａｔｉｏｎ＿ｃｏｎｔｒｏｌ＿ｃｏｄｅ）を含む。なお、図１６に記載されているｒｐｃｈｏｆ（ｒｅｍａｉｎｄｅｒ  ｐｏｌｙｎｏｍｉａｌ  ｃｏｅｆｆｉｃｉｅｎｔｓ  ｈｉｇｈｅｓｔ  ｏｒｄｅｒ  ｆｉｒｓｔ）とは、乗余多項式の係数を、次数の高い順に並べることを意味する。
【０１２９】
アプリケーション形式（ａｐｐｌｉｃａｔｉｏｎ＿ｔｙｐｅ）は、ＡＩＴの制御対象となるアプリケーションの形式を示す。
図１７は、本実施形態に係る受信装置が受信する構成情報に含まれるアプリケーション形式（ａｐｐｌｉｃａｔｉｏｎ＿ｔｙｐｅ）の値の一例を示す図である。例えば、アプリケーション形式（ａｐｐｌｉｃａｔｉｏｎ＿ｔｙｐｅ）の値が「０ｘ００１０」であるとき、ＡＩＴの制御対象となるアプリケーションの形式は「放送通信連携ＨＴＭＬ５アプリケーション」であることを示す。
【０１３０】
アプリケーション識別子（ａｐｐｌｉｃａｔｉｏｎ＿ｉｄｅｎｔｉｆｉｅｒ（））は、アプリケーションを一意に識別する値である。この値は、アプリケーション形式ごとに規定される。
【０１３１】
アプリケーション制御コード（ａｐｐｌｉｃａｔｉｏｎ＿ｃｏｎｔｒｏｌ＿ｃｏｄｅ）は、アプリケーションの状態を制御する制御コードを規定する８ビットのフィールドである。アプリケーション制御コード（ａｐｐｌｉｃａｔｉｏｎ＿ｃｏｎｔｒｏｌ＿ｃｏｄｅ）は、図１８に従って符号化される。
図１８は、本実施形態に係る受信装置が受信する構成情報に含まれるアプリケーション制御コード（ａｐｐｌｉｃａｔｉｏｎ＿ｃｏｎｔｒｏｌ＿ｃｏｄｅ）の値の一例を示す図である。例えば、アプリケーション制御コード（ａｐｐｌｉｃａｔｉｏｎ＿ｃｏｎｔｒｏｌ＿ｃｏｄｅ）の値が「０ｘ０１」であるときに行われるアプリケーションの状態制御は「ＡＵＴＯＳＴＡＲＴ」、すなわち、アプリケーションを起動することを示す。
【０１３２】
（受信装置の動作）
受信装置３１の動作について説明する。
図１９は、本発明の第３の実施形態に係る受信装置の動作を示すフローチャートである。
本フローチャートは、分離部３１３が、復号部３１２から入力された復号後の多重化データから、番組データ及び構成情報に分離したときに処理が開始される。
【０１３３】
（ステップＳ３０１）分離部３１３は、復号部３１２で復号された多重化データからＭＰＴを検出し、検出したＭＰＴを分離する。制御部３３１の構成情報復号部３３１２は、ＭＰＴを分離部３１３から取得し、ＭＴＰに含まれるアセットグループ記述子（Ａｓｓｅｔ＿Ｇｒｏｕｐ＿Ｄｅｓｃｒｉｐｔｏｒ（））を参照する。構成情報復号部３３１２は、アセットグループ記述子（Ａｓｓｅｔ＿Ｇｒｏｕｐ＿Ｄｅｓｃｒｉｐｔｏｒ（））の選択レベル（ｓｅｌｅｃｔｉｏｎ＿ｌｅｖｅｌ）に設定されている値を検出する。その後、Ｓ３０２に進む。
【０１３４】
（ステップＳ３０２）
選択レベル（ｓｅｌｅｃｔｉｏｎ＿ｌｅｖｅｌ）に設定されている値が「０」（デフォルト）であった場合、ステップＳ１０１に戻る。値が「０」である場合とは、すなわち、そのアセットに含まれる映像が主放送の映像であることを示す。
また、選択レベル（ｓｅｌｅｃｔｉｏｎ＿ｌｅｖｅｌ）に設定されている値が「０」でなかった場合、ステップＳ３０３へ進む。値が「０」でなかった場合とは、すなわち、値が「１」以上であった場合であり、そのアセットに含まれる映像が副放送（例えば、降雨対応放送）の映像であることを示す。
【０１３５】
（ステップＳ３０３）
受信レベル検出部３３１１は、チューナー３１１から入力された受信状態情報を取得し、受信状態情報が示す受信状態が、良好であるか劣悪であるかを確認する。その後、ステップＳ３０４へ進む。
（ステップＳ３０４）
受信レベル検出部３３１１は、確認した受信状態情報に基づいて受信状態を判定する。
受信状態が劣悪であるならば、ステップＳ３０５へ進む。受信状態が良好であるならば、ステップＳ３０１へ戻る。
【０１３６】
（ステップＳ３０５）
制御部３３１は、視聴者に降雨対応放送へ階層伝送方式を切り替えることを通知する通知画面のデータを生成する。通知画面は、記憶部３４１に記憶されている通知メッセージを記憶部３４１から取得することによって生成される。
この場合の通知画面のデータとは、例えば、映像表示部３１８に「降雨対応放送に映像を切り替えます。放送通信連携サービスを起動しますか？＜はい＞＜いいえ＞」と表示をするようなＧＵＩ画面データである。ＧＵＩ合成部３１７は、生成された通知画面を示すＧＵＩ画面データの映像を、放送映像に重畳させて映像表示部３１８に表示させることによって、視聴者に通知をする。その後、ステップＳ３０６へ進む。
【０１３７】
（ステップＳ３０６）
視聴者によって、操作入力部３３２を通じて入力される操作信号を、画面構成決定部３３１３は取得する。入力される操作信号とは、＜はい＞（すなわち、放送通信連携サービスを起動する）、または＜いいえ＞（すなわち、放送通信連携サービスを起動しない）のどちらかのサービス起動選択ボタン画像を選択したことを示す操作信号である。
操作入力部３３２から入力された操作信号が、＜はい＞を示す操作信号であった場合には、ステップＳ３０７へ進む。
操作入力部３３２から入力された操作信号が、＜いいえ＞を示す操作信号であった場合には、ステップＳ３０９へ進む。
【０１３８】
（ステップＳ３０７）
映像復号部３１６は、画面構成決定部３３１３から、副放送（例えば、降雨対応放送）の映像へ切り替えることを示す方式選択信号を取得する。映像復号部３１６は、ＧＵＩ合成部３１７に出力する映像データを、主放送から副放送に切り替える。その後、ステップＳ３０８へ進む。
【０１３９】
（ステップＳ３０８）
構成情報復号部３３１２によって復号された構成情報の１つであるＭＨ−ＡＩＴが示すアプリケーション制御情報に基づいて、画面構成決定部３３１３は、記憶部３４１に格納されている、放送通信連携サービスを実行するアプリケーションを読み出し、アプリケーションを起動する。アプリケーションは、画面構成決定部３３１３において動作する。アプリケーションは、通信部３２１を介して通信コンテンツ要求信号をサーバー装置２１に送信する。
【０１４０】
アプリケーションは、サーバー装置２１から放送通信連携サービスで使用される通信コンテンツを示すデータを取得する。アプリケーションは、放送通信連携サービスで使用される通信コンテンツを示すデータをＧＵＩ合成部３１７に出力する。ＧＵＩ合成部３１７は、主放送の映像よりも縮小された副放送（例えば、降雨対応放送）に、放送通信連携サービスの通信コンテンツのデータに基づく映像（ＧＵＩ画面）を重畳させて、映像表示部３１８に表示させる。その後、図１６に示す処理を終了する。
【０１４１】
（ステップＳ３０９）
映像復号部３１６は、画面構成決定部３３１３から、副放送（例えば、降雨対応放送）の映像へ切り替えることを示す方式選択信号を取得する映像復号部３１６は、ＧＵＩ合成部３１７に出力する映像データを、主放送から副放送に切り替える。
また、ＧＵＩ合成部３１７は、その（主放送よりも解像度が低い）副放送の映像を、映像表示部３１８が備える映像表示領域のサイズに拡大して、映像表示部３１８に表示させる。その後、図１６に示す処理を終了する。
【０１４２】
なお、上述したように、構成情報に含まれるＭＰＴのアセットグループ記述子（Ａｓｓｅｔ＿Ｇｒｏｕｐ＿Ｄｅｓｃｒｉｐｔｏｒ（））に設定されている、選択レベル（ｓｅｌｅｃｔｉｏｎ＿ｌｅｖｅｌ）のパラメーター値の数値の大きさによって、取得する通信コンテンツのデータ量を変化させるような構成にしてもよい。すなわち、放送映像の表示領域がより小さくなるときほど、放送通信連携サービスの通信コンテンツを表示する表示領域をより大きくするような構成である。
【０１４３】
以上、説明したように、本発明の第３の実施形態に係る受信装置３１は、受信している放送波に含まれる番組データ、および受信状態に基づいて、表示させる映像を切り替えるかを判断する画面構成決定部３３１３を備える。画面構成決定部３３１３は、表示させる映像を切り替えると判断した場合には、視聴者に映像表示モードを選択させるための通知画面を生成する。視聴者の操作入力による信号に基づいて、画面構成決定部３３１３は、ＧＵＩ合成部３１７を制御する。
【０１４４】
視聴者の操作入力による信号が、副放送を拡大表示させることを示す信号であった場合は、画面構成決定部３３１３は、ＧＵＩ合成部３１７に、映像表示部３１８が備える映像表示領域のサイズに副放送の映像を拡大させて映像表示部３１８に表示させるように制御する。
視聴者の操作入力による信号が、放送通信連携サービスを起動することを示す信号であった場合は、画面構成決定部３３１３は、放送通信連携サービスを実行するためのアプリケーションを実行する。そして、受信装置３１は、放送通信連携サービスに従って、副放送と通信コンテンツとを組み合わせて映像表示部３１８に表示させる。放送通信連携サービスとは、例えば、Ｈｙｂｒｉｄｃａｓｔ（登録商標）である。
【０１４５】
この構成により、例えば、階層伝送方式による放送によって、主放送と同時に副放送（例えば、降雨対応放送）の番組データを選択的に受信可能な場合において、かつ、降雨によって放送波が減衰（降雨減衰）した時など、放送波の受信状態が劣悪であることを検知した場合において、視聴者自身による選択によって、映像の表示方法が決定される。
つまり、降雨対応放送の映像の本来のサイズである縮小された映像に切り替えて放送連携サービスを起動するか、または、降雨対応放送の映像を映像表示部３１８の大きさに合わせて拡大して表示させるか、について視聴者自身による選択によって決定がなされる。
それによって、デジタルテレビ受信機が本来備えている解像度の高さや画面のサイズを活かした映像を視聴者に提供することができる。
【０１４６】
なお、上述の実施形態と同様に、第３の実施形態においても、主放送と副放送の２種類だけでなく、３種類以上の放送が含まれていても構わない。例えば、アセットグループ記述子（Ａｓｓｅｔ＿Ｇｒｏｕｐ＿Ｄｅｓｃｒｉｐｔｏｒ（））に含まれる選択レベル（ｓｅｌｅｃｔｉｏｎ＿ｌｅｖｅｌ）のパラメーター値が大きいものほど、より解像度が低いことを示すように対応付けをしておくことによって、そのパラメーター値がより大きいときほど、放送映像領域の大きさが小さくなることが分かる。すなわち、逆に、通信コンテンツを表示できる表示領域がより大きくなることが分かる。
【０１４７】
したがって、選択レベル（ｓｅｌｅｃｔｉｏｎ＿ｌｅｖｅｌ）のパラメーター値の数値の大きさによって、取得する通信コンテンツのデータ量を変化させるような構成にしてもよい。選択レベル（ｓｅｌｅｃｔｉｏｎ＿ｌｅｖｅｌ）のパラメーター値が大きいときほど、より多くの通信コンテンツのデータをサーバー装置２１から取得して、より多くの通信コンテンツに基づく情報を放送通信連携サービスのアプリケーションが表示させるような構成である。
【０１４８】
（第４の実施形態）
本発明の第４の実施形態について、説明する。
第３の実施形態では、放送映像の解像度を示す情報等を含む構成情報に基づいて、受信装置３１で動作する放送通信連携サービスのアプリケーションが、表示させる通信コンテンツを決定する構成であった。
第４の実施形態では、例えば、放送事業者側において放送波を送信する際に、構成情報に含めるＭＰＴのアセットグループ記述子（Ａｓｓｅｔ＿Ｇｒｏｕｐ＿Ｄｅｓｃｒｉｐｔｏｒ（））に設定した選択レベル（ｓｅｌｅｃｔｉｏｎ＿ｌｅｖｅｌ）に適した情報量の通信コンテンツを、予めサーバー装置２１に格納しておくようにする。
【０１４９】
設定した選択レベル（ｓｅｌｅｃｔｉｏｎ＿ｌｅｖｅｌ）に適した情報量の通信コンテンツを予め格納するとは、すなわち、以下のようなものである。
選択レベル（ｓｅｌｅｃｔｉｏｎ＿ｌｅｖｅｌ）のパラメーター値が大きいときほど放送映像の解像度が低いことを示すように対応付けをしておくことで、パラメーター値が大きいときほど通信コンテンツの表示領域が大きくなる。したがって、表示領域がより大きいときほど、表示する通信コンテンツの情報量もより多くするようにするなど、表示領域に適した情報量の通信コンテンツを予め用意してサーバー装置２１に格納しておくようにする。
【０１５０】
この構成により、デジタルテレビ受信機が本来備えている解像度の高さや画面のサイズを活かした映像を視聴者に提供することができる。
【０１５１】
（第５の実施形態）
本発明の第５の実施形態について説明する。
第１〜４の実施形態では、階層伝送方式を切り替えることによって、主放送の映像と副放送（例えば、降雨対応放送）の映像とを切り替える実施形態について説明した。しかしながら、階層伝送方式による放送には限られない。すなわち、同一の放送番組が異なる解像度等によって複数同時に放送がされていればよい。例えば、放送波によって提供されるサイマル放送（ｓｉｍｕｌｃａｓｔ；同時並行放送とも呼ばれる。）によって、同一の放送番組が複数の解像度等で放送されている場合に、受信状態に基づいて受信する放送を切り替えるような実施形態でもよい。
この構成により、デジタルテレビ受信機が本来備えている解像度の高さや画面のサイズを活かした映像を視聴者に提供することができる。
【０１５２】
（第６の実施形態）
本発明の第６の実施形態について説明する。
第５の実施形態では、放送波によって提供されるサイマル放送に受信を切り替えた。しかしながら、放送波によって提供される放送に限られない。例えば、受信装置３１が、サーバー装置２１から通信伝送路２２を介して、同一の放送番組を通信で受信するような実施形態でもよい。なお、インターネットなどのＩＰネットワーク上で電波による放送と同内容のものを配信する場合は、ＩＰサイマル放送とも呼ばれる。激しい降雨等により、階層伝送方式による低解像度の放送でさえも受信が困難な場合にも、受信装置３１は、同一の放送番組をサーバー装置２１から通信で受信するようにすることができる。
この構成により、デジタルテレビ受信機が本来備えている解像度の高さや画面のサイズを活かした映像を視聴者に提供することができる。
【０１５３】
以上、この発明の実施形態について詳しく説明してきたが、具体的な構成は上述のものに限られることはなく、この発明の要旨を逸脱しない範囲内において様々な設計変更等をすることが可能である。
例えば、上述した実施形態に係る放送システム１は、４Ｋ／８Ｋ映像での放送に係る放送システム、すなわち多重化方式としてＭＭＴを用いる映像システムであるが、これに限られない。例えば、他の実施形態に係る放送システム１は、多重化方式としてＴＳ（Ｔｒａｎｓｐｏｒｔ  Ｓｔｒｅａｍ）を用いる放送システムであってもよい。
【０１５４】
なお、上述の実施形態の説明においては、通信コンテンツの一例として、番組関連情報を例示したが、これに限られない。
通信コンテンツは、例えば、降雨対応放送に受信を切り替えているときには、天候に関係する情報を提供するような、気象情報や交通情報などのコンテンツであってもよい。
また、通信コンテンツは、視聴中の放送番組に直接関係する番組関連情報に関わらず、その放送番組が属する番組のジャンルに関係するような情報を含むコンテンツであってもよい。例えば、視聴中の放送番組が映画であるならば、映画のジャンルに関係する情報、例えば、レンタルＤＶＤ事業者が提供するサービスに関する情報や、オンデマンド放送事業者が提供するサービスに関する情報などのコンテンツであってもよい。
【０１５５】
また、放送番組の映像に重畳させて表示するコンテンツは、通信によって受信したコンテンツでなくてもかまわない。放送波のその他の構成情報に含まれる情報、例えば、データ放送やＥＰＧ（Ｅｌｅｃｔｒｏｎｉｃ  Ｐｒｏｇｒａｍ  Ｇｕｉｄｅ；電子番組ガイド）のデータに含まれる情報に基づくコンテンツであってもよい。また、放送や通信による受信を伴わないコンテンツ（オフラインコンテンツ）の取得、例えば、記憶部３４１に予め格納しているコンテンツであってもよい。
【０１５６】
また、例えば、映画番組が放送されているとき、降雨対応放送に切り替わったシーン（タイミング）を記録しておき、そのタイミングが表示されるようなコンテンツであってもよい。それによって、視聴者は、どのシーンまで通常の（高解像度の）放送映像で視聴をすることができたかを把握することができるため、降雨対応放送に切り替わった際に一旦、番組の視聴を終了し、後日、レンタルＤＶＤやオンデマンド放送、または再放送等で、その続きのシーンから視聴を再開することができる。
【０１５７】
また、通信コンテンツは、ＳＮＳ（Ｓｏｃｉａｌ  Ｎｅｔｏｗｏｒｋ  Ｓｅｒｖｉｃｅ；ソーシャルネットワークサービス）や、ソーシャルゲーム、掲示板等のような、視聴者間でのコミュケーションを促せるようなアプリケーション、またはコンテンツ等であってもよい。
【０１５８】
（Ａ１）本発明の一態様は、受信信号の復調を行う復調部と、前記受信信号の高階層の誤り率を基に階層を決定し、ＭＭＴパッケージテーブルのアセットグループ記述子により階層変調の有無を識別して、階層別のアセットを取得する処理部と、を備え、前記処理部は、前記ＭＭＴパッケージテーブルのアセットグループ記述子に基づいて伝送される階層を判定する受信装置である。
【０１５９】
（Ａ２）本発明の一態様は、受信信号の復調を行う復調部と、前記受信信号の高階層の誤り率を基に階層を決定し、ＭＭＴパッケージテーブルのアセットグループ記述子により階層変調の有無を識別して、階層別のアセットを取得する処理部と、を備え、前記処理部は、前記ＭＭＴパッケージテーブルのアセットグループ記述子に基づいて伝送される階層を判定するテレビジョン装置である。
【０１６０】
（Ａ３）本発明の一態様は、受信装置のコンピュータに、受信信号の復調を行う復調手順、前記受信信号の高階層の誤り率を基に階層を決定し、ＭＭＴパッケージテーブルのアセットグループ記述子により階層変調の有無を識別して、階層別のアセットを取得する処理手順、を実行させ、前記処理手順において、前記ＭＭＴパッケージテーブルのアセットグループ記述子に基づいて伝送される階層を判定するプログラムである。
【０１６１】
（Ａ４）本発明の一態様は、（Ａ３）に記載のプログラムを記録したコンピュータに読み取り可能な記憶媒体である。
【０１６２】
（Ａ５）本発明の一態様は、受信装置における受信処理方法であって、受信信号の復調を行う復調過程、前記受信信号の高階層の誤り率を基に階層を決定し、ＭＭＴパッケージテーブルのアセットグループ記述子により階層変調の有無を識別して、階層別のアセットを取得する処理過程、を実行させ、前記処理過程において、前記ＭＭＴパッケージテーブルのアセットグループ記述子に基づいて伝送される階層を判定する受信方法である。
【０１６３】
なお、上述した実施形態における送信装置１１、サーバー装置２１、及び受信装置３１、の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【０１６４】
なお、ここでいう「コンピュータシステム」とは、送信装置１１、サーバー装置２１、及び受信装置３１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１６６】
また、上述した実施形態における送信装置１１、サーバー装置２１、及び受信装置３１、を、ＬＳＩ（Ｌａｒｇｅ Ｓｃａｌｅ Ｉｎｔｅｇｒａｔｉｏｎ）等の集積回路として実現してもよい。放送システム１及び基地局装置２の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１６７】
１・・・放送システム、１１・・・送信装置、１２・・・放送伝送路、１３・・・放送衛星、２１・・・サーバー装置、２２・・・通信伝送路、３１・・・受信装置、１１１・・・番組データ生成部、１１２・・・構成情報生成部、１１３・・・多重化部、１１４・・・暗号化部、１１５・・・送信部、２１０・・・制御部、２１１・・・通信コンテンツ取得部、２１２・・・通信コンテンツ配信部、２１３・・・通信部、２１４・・・記憶部、３１１・・・チューナー、３１２・・・復号部、３１３・・・分離部、３１４・・・音声復号部、３１５・・・音声再生部、３１６・・・映像復号部、３１７・・・ＧＵＩ合成部、３１８・・・映像表示部、３２１・・・通信部、３３１・・・制御部、３３２・・・操作入力部、３４１・・・記憶部、３３１１・・・受信レベル検出部、３３１２・・・構成情報復号部、３３１３・・・画面構成決定部、３３１４・・・通信コンテンツ取得部、５１１ａ・・・映像表示領域、５１１ｂ・・・映像表示領域、５２１ａ・・・主放送の映像、５２１ｂ・・・副放送の映像、５２２・・・通信コンテンツの映像（ＧＵＩ画面）
【図１】
2018182762.tif 000003
【図２】
2018182762.tif 000004
【図３】
2018182762.tif 000005
【図４】
2018182762.tif 000006
【図５】
2018182762.tif 000007
【図６】
2018182762.tif 000008
【図７】
2018182762.tif 000009
【図８】
2018182762.tif 000010
【図９】
2018182762.tif 000011
【図１０】
2018182762.tif 000012
【図１１】
2018182762.tif 000013
【図１２】
2018182762.tif 000014
【図１３】
2018182762.tif 000015
【図１４】
2018182762.tif 000016
【図１５】
2018182762.tif 000017
【図１６】
2018182762.tif 000018
【図１７】
2018182762.tif 000019
【図１８】
2018182762.tif 000020
【図１９】
2018182762.tif 000021